(57)【要約】【課題】並置方式映像とともに、重畳画像を、視認性を損なうことなく表示させる。【解決手段】本発明の映像供給装置は、表示装置に供給すべき映像が、該映像を構成するフレームのそれぞれにおいて、表示装置にて出力される表示フレームが所定方向に圧縮されて複数並置されている並置方式で構成された映像である場合に、上記映像に重畳させる重畳画像を生成する重畳画像生成部４３と、生成された重畳画像を、上記表示フレームと同じ方向および同じ圧縮率にて圧縮する画像圧縮部４４と、圧縮された重畳画像を、上記フレームに含まれる少なくとも１つの圧縮された表示フレーム上の、上記映像上の重畳位置と相対的に同じ位置に重畳させる重畳部４５とを備えている。【選択図】図１
2012227842.tif 000002
【特許請求の範囲】
【請求項１】
表示装置に映像を供給する映像供給装置であって、
上記表示装置に供給すべき映像が、該映像を構成するフレームのそれぞれにおいて、表示装置にて出力される表示フレームが所定方向に圧縮されて複数並置されている並置方式で構成された映像である場合に、
上記映像に重畳させる重畳画像を生成する重畳画像生成手段と、
上記重畳画像生成手段によって生成された重畳画像を、上記表示フレームと同じ方向および同じ圧縮率にて圧縮する圧縮手段と、
上記圧縮手段によって圧縮された重畳画像を、上記フレームに含まれる少なくとも１つの圧縮された表示フレーム上の、上記映像上の重畳位置と相対的に同じ位置に重畳させる重畳手段とを備えていることを特徴とする映像供給装置。
【請求項２】
上記映像は、該映像を構成するフレームのそれぞれにおいて、表示装置にて出力される表示フレームが所定方向に２分の１に圧縮されて２つ並置されている映像であって、
上記圧縮手段は、上記重畳画像を、上記所定方向に２分の１に圧縮することを特徴とする請求項１に記載の映像供給装置。
【請求項３】
上記映像は、該映像を構成するフレームのそれぞれにおいて、表示装置にて出力される表示フレームが水平方向に２分の１に圧縮されて２つ並置されている映像であって、
上記圧縮手段は、上記重畳画像を、水平方向に２分の１に圧縮することを特徴とする請求項２に記載の映像供給装置。
【請求項４】
上記映像は、該映像を構成するフレームのそれぞれにおいて、表示装置にて出力される表示フレームが垂直方向に２分の１に圧縮されて２つ並置されている映像であって、
上記圧縮手段は、上記重畳画像を、垂直方向に２分の１に圧縮することを特徴とする請求項２に記載の映像供給装置。
【請求項５】
上記重畳手段は、上記フレームに含まれるすべての表示フレーム上に、上記圧縮手段によって圧縮された重畳画像を重畳させることを特徴とする請求項１から４までのいずれか１項に記載の映像供給装置。
【請求項６】
表示装置に映像を供給する映像供給装置であって、
上記表示装置に供給すべき映像が、該映像を構成するフレームのそれぞれにおいて、表示装置にて出力される表示フレームが所定方向に圧縮されて複数並置されている並置方式で構成された映像である場合に、
上記映像に重畳させる重畳画像を生成する重畳画像生成手段と、
圧縮された各表示フレームを伸張して、伸張後の各表示フレームを連結することにより映像を復元する復元手段と、
上記復元手段によって伸張された表示フレーム上の、上記映像上の重畳位置と同じ位置に、上記重畳画像生成手段によって生成された重畳画像を重畳させる重畳手段とを備えていることを特徴とする映像供給装置。
【請求項７】
上記映像は、該映像を構成するフレームのそれぞれにおいて、表示装置にて出力される表示フレームが所定方向に２分の１に圧縮されて２つ並置されている映像であり、
上記重畳手段は、上記復元手段によって上記所定方向に２倍に伸張された表示フレーム上の、上記重畳位置と同じ位置に上記重畳画像を重畳させることを特徴とする請求項６に記載の映像供給装置。
【請求項８】
上記映像は、立体視用の映像であり、該映像に並置されている２つの表示フレームは、右目用の表示フレームと左目用の表示フレームであることを特徴とする請求項２、３、４、および、７のいずれか１項に記載の映像供給装置。
【請求項９】
表示装置に映像を供給する映像供給装置であって、
上記表示装置に供給すべき映像が、該映像を構成するフレームのそれぞれにおいて、表示装置にて出力される表示フレームが所定方向に圧縮されて複数並置されている並置方式で構成された映像である場合に、
上記映像に重畳させる重畳画像を生成する重畳画像生成手段と、
上記並置方式で構成された映像を上記表示装置に伝送するとともに、上記重畳画像を上記表示装置に伝送する伝送手段とを備えていることを特徴とする映像供給装置。
【請求項１０】
上記重畳画像は、ユーザの指示入力に応じて当該映像供給装置が処理を実行するときの処理実行状態を表すものであり、
上記重畳画像生成手段は、当該映像供給装置がユーザの指示入力を受け付けたとき、その指示内容に応じた重畳画像を生成することを特徴とする請求項１から９までのいずれか１項に記載の映像供給装置。
【請求項１１】
上記重畳画像は、当該映像供給装置が映像を再生する再生処理を実行している映像に関する情報を表すものであり、
上記重畳画像生成手段は、当該映像供給装置が再生処理を実行している映像に対応する重畳画像を生成することを特徴とする請求項１から１０までのいずれか１項に記載の映像供給装置。
【請求項１２】
上記重畳画像は、ユーザの指示入力に応じて当該映像供給装置が映像を記録する記録処理を実行するときの処理実行状態を表すものであることを特徴とする請求項１０に記載の映像供給装置。
【請求項１３】
上記重畳画像は、当該映像供給装置が映像を記録する記録処理を実行している映像に関する情報を表すものであり、
上記重畳画像生成手段は、当該映像供給装置が記録処理を実行している映像に対応する重畳画像を生成することを特徴とする請求項１〜１０および１２のいずれか１項に記載の映像供給装置。
【請求項１４】
上記重畳画像は、当該映像供給装置が映像を選局して受像する受像処理を実行している映像に関する情報を表すものであり、
上記重畳画像生成手段は、当該映像供給装置が受像処理を実行している映像に対応する重畳画像を生成することを特徴とする請求項１から１０までのいずれか１項に記載の映像供給装置。
【請求項１５】
上記並置方式で構成された映像は、
当該映像供給装置が読み取り可能な記録媒体から読み出された映像であることを特徴とする請求項１から１１までのいずれか１項に記載の映像供給装置。
【請求項１６】
上記並置方式で構成された映像は、
当該映像供給装置が読み取り可能な記録媒体から読み出された映像、または、当該映像供給装置内に録画された映像であることを特徴とする請求項１〜１０、１２および１３のいずれか１項に記載の映像供給装置。
【請求項１７】
上記並置方式で構成された映像は、
当該映像供給装置にて放送波を介して受信された映像であることを特徴とする請求項１〜１０および１４のいずれか１項に記載の映像供給装置。
【請求項１８】
当該映像供給装置は、映像を再生する再生装置であることを特徴とする請求項１〜１１および１５のいずれか１項に記載の映像供給装置。
【請求項１９】
当該映像供給装置は、映像を記録または再生する記録再生装置であることを特徴とする請求項１〜１０、１２、１３および１６のいずれか１項に記載の映像供給装置。
【請求項２０】
当該映像供給装置は、映像を選局して受像する受像装置であることを特徴とする請求項１〜１０、１４および１７のいずれか１項に記載の映像供給装置。
【請求項２１】
表示装置に映像を供給する映像供給方法であって、
上記表示装置に供給すべき映像が、該映像を構成するフレームのそれぞれにおいて、表示装置にて出力される表示フレームが所定方向に圧縮されて複数並置されている並置方式で構成された映像である場合に、
上記映像に重畳させる重畳画像を生成する重畳画像生成ステップと、
上記重畳画像生成ステップにて生成された重畳画像を、上記表示フレームと同じ方向および同じ圧縮率にて圧縮する圧縮ステップと、
上記圧縮ステップにて圧縮された重畳画像を、上記フレームに含まれる少なくとも１つの圧縮された表示フレーム上の、上記映像上の重畳位置と相対的に同じ位置に重畳させる重畳ステップとを含むことを特徴とする映像供給方法。
【請求項２２】
表示装置に映像を供給する映像供給方法であって、
上記表示装置に供給すべき映像が、該映像を構成するフレームのそれぞれにおいて、表示装置にて出力される表示フレームが所定方向に圧縮されて複数並置されている並置方式で構成された映像である場合に、
上記映像に重畳させる重畳画像を生成する重畳画像生成ステップと、
圧縮された各表示フレームを伸張して、伸張後の各表示フレームを連結することにより映像を復元する復元ステップと、
上記復元ステップにて伸張された表示フレーム上の、上記映像上の重畳位置と同じ位置に、上記重畳画像生成ステップにて生成された重畳画像を重畳させる重畳ステップとを含むことを特徴とする映像供給方法。
【請求項２３】
表示装置に映像を供給する映像供給方法であって、
上記表示装置に供給すべき映像が、該映像を構成するフレームのそれぞれにおいて、表示装置にて出力される表示フレームが所定方向に圧縮されて複数並置されている並置方式で構成された映像である場合に、
上記映像に重畳させる重畳画像を生成する重畳画像生成ステップと、
上記並置方式で構成された映像を上記表示装置に伝送するとともに、上記重畳画像を上記表示装置に伝送する伝送ステップとを含むことを特徴とする映像供給方法。
【発明の詳細な説明】
【技術分野】
【０００１】
本発明は、並置方式にて伝送される映像の表示方法に関するものであり、特に、上記映像に別の画像を重畳表示するための映像供給装置、および、映像供給方法に関するものである。
【背景技術】
【０００２】
表示装置は、映像を表示するとき、該映像を構成する複数の静止画（以下、フレーム）を、１コマ１コマ、フレームメモリに連続して描き出すことにより、モニタに映像を出力することができる。ここで、表示装置がモニタに出力する１コマ１コマを表示フレームと称する。
【０００３】
従来、このようなデジタル映像の通常の１フレームに、複数の表示フレームを圧縮して配置する映像の圧縮方式がある。例えば、２つの表示フレームを水平方向に１／２に圧縮（画素を間引くなど）して、１つのフレームに左右に並べて配置するサイドバイサイド方式や、２つの表示フレームを垂直方向に１／２に圧縮して、１つのフレームに上下に並べて配置するトップアンドボトム方式などが挙げられる。他にも、水平方向および垂直方向の両方に圧縮して、より多くの表示フレームを１つのフレームに配置する方式などが考えられる。
【０００４】
上述のように、映像のデータを構成する通常のフレームに表示フレームを複数並置する並置方式を採用すれば、同じ表示フレーム数の映像を、少ないフレーム数にて構成し、伝送または記憶しておくことができる。このため、映像データの伝送効率の向上、または、データ容量のコンパクト化が実現できる。
【０００５】
表示装置は、並置方式が採用された映像（以下、並置方式映像と称する）が供給された場合には、並置方式映像をデコードして、表示フレームを１コマ１コマ、フレームメモリに描画して元の映像を復元する。具体的には、１フレームに並置されたそれぞれの表示フレームを元のサイズに伸張し、所定の順序に並べなおして順次出力する。
【０００６】
上記並置方式は、例えば、視差のついた左目用の画像と右目用の画像とが交互に出力されるように構成される立体視用映像に採用されている。
【０００７】
例えば、特許文献１、２には、映像信号から当該映像が立体視用映像か否か（または、並置方式の映像か否か）を判別する、映像信号種類判別装置（または立体画像処理装置）が開示されている。
【０００８】
また、特許文献３、４には、立体視用映像に、テロップまたは平面的な表示情報などの別の画像を重畳表示させるテロップ表示装置（または立体情報出力装置）が開示されている。
【先行技術文献】
【特許文献】
【０００９】
【特許文献１】特開平１１−０６９３８４号公報（１９９９年３月９日公開）
【特許文献２】特開２００３−１１１１０１号公報（２００３年４月１１日公開）
【特許文献３】特開平１０−３２７４３０号公報（１９９８年１２月８日公開）
【特許文献４】特開２０１０−１３０４９５号公報（２０１０年６月１０日公開）
【発明の概要】
【発明が解決しようとする課題】
【００１０】
しかしながら、従来の特許文献１〜４の技術では、以下の不都合を解消できないという問題がある。
【００１１】
図２〜図４は、従来の技術における課題を説明する図である。
【００１２】
従来、並置方式映像が、外部の映像供給装置から表示装置に供給される際、映像供給装置自身が生成した別の画像が存在する場合には、映像供給装置は、上記別の画像を、該並置方式映像の各フレームに重畳させていた。
【００１３】
図２に示すとおり、映像供給装置が並置方式映像を処理した結果、並置方式映像における各フレーム（フレームＦ１）には、映像供給装置が生成した画像（重畳画像Ｐ）が重畳される。各フレームは、例えば、サイドバイサイド方式の場合、第１の表示フレーム（表示フレームＬ１）と、第２の表示フレーム（表示フレームＲ１）とを左右に並置した状態で含んでいる。図２に示す例では、表示フレームＬ１および表示フレームＲ１は、水平方向にそれぞれ１／２に圧縮されている。
【００１４】
このようなフレームを含む並置方式映像が、表示装置に供給されるとする。表示装置は、図２に示す、表示フレームＬ１および表示フレームＲ１のそれぞれを水平方向に２倍に伸張することになる。表示装置が、図２に示す並置方式映像（例えば、フレームＦ１）をデコードした結果、図３に示す、元のサイズに伸張された表示フレームＬ１と、図４に示す、元のサイズに伸張された表示フレームＲ１とが得られる。そして、表示フレームＬ１および表示フレームＲ１を含む、伸張されたすべての表示フレームが、所定の順序で順次出力されることになる。
【００１５】
図３および４に示すとおり、並置方式映像は、元通り復元されるが、映像供給装置によって生成された重畳画像Ｐは、元の状態が再現されないという不都合が生じる。具体的には、重畳画像Ｐは、圧縮時の表示フレームの配置に基づいて不要に分断された上、不要な伸張処理にかけられて、同図に示す例では２倍に横伸びする。これにより、重畳画像Ｐは、表示装置に表示されるときには、本来の状態（図２の重畳画像Ｐの状態）で視認されない。
【００１６】
例えば、図２に示す並置方式映像が、立体視用映像であって、１つのフレームに、左目用表示フレームと、右目用表示フレームとが配置される構成である場合、左目用表示フレームと、右目用表示フレームとは、復元後高速で交互に出力されることになる。よって、図３に示す重畳画像ＰのピースＰ１と、図４に示すピースＰ２とが、２倍に横に伸張された上、重なって表示されることになる。このため、ユーザが適切に視認できるように重畳画像Ｐを提供できないばかりか、それが重畳された映像の視認性までも著しく低下させるという問題が生じる。
【００１７】
このような問題が生じる映像供給装置としては、例えば、並置方式映像を表示装置に供給する再生装置、または、さらに映像を記録する機能を備えた記録再生装置などが想定されるが、これに限定されない。
【００１８】
また、上記の問題は、立体視用映像を扱う場合に限って生じる問題ではない。複数の表示フレームがあらゆるレイアウトで１フレームに並置される並置方式映像を扱う場合に同様に生じるものである。
【００１９】
立体視用映像を扱わない並置方式の映像としては、例えば、関連のない異なった二つの映像を水平方向にそれぞれ１／２に圧縮し、第一の表示フレーム（表示フレームＬ１）と、第二の表示フレーム（表示フレームＲ１）とした映像を左右に並置して一つの表示フレームとした並置方式映像が考えられる。
【００２０】
この並置方式映像では、複数人数で視聴を行う場合、それぞれの視聴者ごとに表示フレームＬ１と表示フレームＲ１のどちらを視聴するかを選択できるようにすることで、複数人数で異なった映像を同時に視聴することが可能となる。
【００２１】
上記のような立体視用映像を扱わない並置方式映像においても立体視用並置方式映像を扱う場合と同様な問題が生じる。
【００２２】
本発明は、上記の問題点に鑑みてなされたものであり、その目的は、並置方式映像とともに、重畳画像を、視認性を損なうことなく表示させることが可能な映像供給装置、および、映像供給方法を実現することにある。
【課題を解決するための手段】
【００２３】
本発明の映像供給装置は、上記課題を解決するために、表示装置に映像を供給する映像供給装置であって、上記表示装置に供給すべき映像が、該映像を構成するフレームのそれぞれにおいて、表示装置にて出力される表示フレームが所定方向に圧縮されて複数並置されている並置方式で構成された映像である場合に、上記映像に重畳させる重畳画像を生成する重畳画像生成手段と、上記重畳画像生成手段によって生成された重畳画像を、上記表示フレームと同じ方向および同じ圧縮率にて圧縮する圧縮手段と、上記圧縮手段によって圧縮された重畳画像を、上記フレームに含まれる少なくとも１つの圧縮された表示フレーム上の、上記映像上の重畳位置と相対的に同じ位置に重畳させる重畳手段とを備えていることを特徴とする。
【００２４】
上記構成によれば、映像供給装置は、表示装置に供給すべき映像が、該映像を構成するフレームのそれぞれにおいて、表示装置にて出力される表示フレームが所定方向に圧縮されて複数並置されている並置方式で構成された映像である場合に、以下のとおりに動作する。まず、重畳画像生成手段が、映像に重畳させる重畳画像を生成する。次に、圧縮手段は、上記表示フレームと同じ方向および同じ圧縮率にて、上記重畳画像を圧縮する。続いて、重畳手段は、上記圧縮された重畳画像を、上記フレームに含まれる少なくとも１つの圧縮された表示フレーム上の、上記映像上の重畳位置と相対的に同じ位置に重畳させる。
【００２５】
これにより、映像供給装置は、表示フレームと同じ方向および同じ圧縮率で圧縮された重畳画像が該表示フレームに重畳された映像を出力することが可能となる。このようにして出力された映像が表示装置に供給されると、表示装置の側で、表示フレームを伸張する処理が行われたとしても、重畳画像だけが不自然に伸張されることが無くなる。結果として、並置方式映像とともに、重畳画像を、視認性を損なうことなく表示させることが可能になるという効果を奏する。
【００２６】
上記映像供給装置では、上記映像は、該映像を構成するフレームのそれぞれにおいて、表示装置にて出力される表示フレームが所定方向に２分の１に圧縮されて２つ並置されている映像であって、上記圧縮手段は、上記重畳画像を、上記所定方向に２分の１に圧縮することができる。
【００２７】
上記構成によれば、表示フレームと同じ方向および同じ圧縮率（２分の１）で圧縮された重畳画像が該表示フレームに重畳された映像を出力することが可能となる。このようにして出力された映像が表示装置に供給されると、表示装置の側で、表示フレームを伸張する処理が行われたとしても、重畳画像だけが不自然に２倍に伸張されることが無くなる。結果として、並置方式映像とともに、重畳画像を、視認性を損なうことなく表示させることが可能になるという効果を奏する。
【００２８】
さらに、上記映像供給装置では、上記映像は、該映像を構成するフレームのそれぞれにおいて、表示装置にて出力される表示フレームが水平方向に２分の１に圧縮されて２つ並置されている映像であって、上記圧縮手段は、上記重畳画像を、水平方向に２分の１に圧縮することができる。
【００２９】
上記構成によれば、表示フレームと同様に水平方向且つ同じ圧縮率（２分の１）で圧縮された重畳画像が該表示フレームに重畳された映像を出力することが可能となる。このようにして出力された映像が表示装置に供給されると、表示装置の側で、表示フレームを伸張する処理が行われたとしても、重畳画像だけが不自然に２倍に水平方向に伸張されることが無くなり、重畳画像が２倍に横に伸ばされた状態で表示されることを回避できる。結果として、並置方式映像とともに、重畳画像を、視認性を損なうことなく表示させることが可能になるという効果を奏する。
【００３０】
あるいは、上記映像供給装置では、上記映像は、該映像を構成するフレームのそれぞれにおいて、表示装置にて出力される表示フレームが垂直方向に２分の１に圧縮されて２つ並置されている映像であって、上記圧縮手段は、上記重畳画像を、垂直方向に２分の１に圧縮することができる。
【００３１】
上記構成によれば、表示フレームと同様に垂直方向且つ同じ圧縮率（２分の１）で圧縮された重畳画像が該表示フレームに重畳された映像を出力することが可能となる。このようにして出力された映像が表示装置に供給されると、表示装置の側で、表示フレームを伸張する処理が行われたとしても、重畳画像だけが不自然に２倍に垂直方向に伸張されることが無くなり、重畳画像が２倍に縦に伸ばされた状態で表示されることを回避できる。結果として、並置方式映像とともに、重畳画像を、視認性を損なうことなく表示させることが可能になるという効果を奏する。
【００３２】
あるいは、上記映像供給装置では、上記重畳手段は、上記フレームに含まれるすべての表示フレーム上に、上記圧縮手段によって圧縮された重畳画像を重畳させてもよい。
【００３３】
上記構成によれば、映像供給装置から映像を取得した表示装置の側では、重畳画像が間引きされることなく、すべての表示フレームとともに重畳されて表示されるので、上記重畳画像が不自然にちらついたり、薄く表示されたりすることが無くなる。また、関連のない異なった二つの映像を並置方式映像にまとめた場合においても、両方の映像に重畳画像をそれぞれ表示させることができる。結果として、重畳画像およびそれが重畳される映像の視認性をより向上させることが可能となる。
【００３４】
本発明の映像供給装置は、上記課題を解決するために、表示装置に映像を供給する映像供給装置であって、上記表示装置に供給すべき映像が、該映像を構成するフレームのそれぞれにおいて、表示装置にて出力される表示フレームが所定方向に圧縮されて複数並置されている並置方式で構成された映像である場合に、上記映像に重畳させる重畳画像を生成する重畳画像生成手段と、圧縮された各表示フレームを伸張して、伸張後の各表示フレームを連結することにより映像を復元する復元手段と、上記復元手段によって伸張された表示フレーム上の、上記映像上の重畳位置と同じ位置に、上記重畳画像生成手段によって生成された重畳画像を重畳させる重畳手段とを備えていることを特徴としている。
【００３５】
上記構成によれば、映像供給装置は、表示装置に供給すべき映像が、該映像を構成するフレームのそれぞれにおいて、表示装置にて出力される表示フレームが所定方向に圧縮されて複数並置されている並置方式で構成された映像である場合に、以下のとおりに動作する。まず、重畳画像生成手段が、映像に重畳させる重畳画像を生成する。一方、復元手段が、圧縮された各表示フレームを伸張して、伸張後の各表示フレームを連結することにより映像を復元する。最後に、重畳手段は、伸張された表示フレーム上の、上記映像上の重畳位置と同じ位置に、上記生成された重畳画像を重畳させる。
【００３６】
これにより、映像供給装置は、元のとおりのサイズに伸張された表示フレームに、通常のサイズの重畳画像が重畳された映像を出力することが可能となる。このようにして出力された映像が表示装置に供給されると、表示装置の側では、伸張または圧縮の処理は不要となり、伸張後の各表示フレームを順次出力して映像を表示する。したがって、重畳画像だけが不自然に伸張されることが無くなる。結果として、並置方式映像とともに、重畳画像を、視認性を損なうことなく表示させることが可能になるという効果を奏する。
【００３７】
上記映像供給装置では、上記映像は、該映像を構成するフレームのそれぞれにおいて、表示装置にて出力される表示フレームが所定方向に２分の１に圧縮されて２つ並置されている映像であり、上記重畳手段は、上記復元手段によって上記所定方向に２倍に伸張された表示フレーム上の、上記重畳位置と同じ位置に上記重畳画像を重畳させることを特徴とする請求項６に記載の映像供給装置。
【００３８】
上記構成によれば、表示フレームと同じ方向および同じ圧縮率（２分の１）で圧縮された重畳画像が該表示フレームに重畳された映像を出力することが可能となる。このようにして出力された映像が表示装置に供給されると、表示装置の側で、表示フレームを伸張する処理が行われたとしても、重畳画像だけが不自然に２倍に伸張されることが無くなる。結果として、並置方式映像とともに、重畳画像を、視認性を損なうことなく表示させることが可能になるという効果を奏する。
【００３９】
上記映像供給装置では、さらに、上記映像は、立体視用の映像であり、該映像に並置されている２つの表示フレームは、右目用の表示フレームと左目用の表示フレームであってもよい。
【００４０】
上記構成によれば、表示装置の側で、右目用の表示フレームと左目用の表示フレームとが交互に出力されるような場合に、次のような不都合を回避できる。例えば、重畳画像だけが不自然に伸張された状態で、ちらつきを伴って表示（フレームレートが十分に高い場合には薄く表示）されることが無くなる。結果として、並置方式映像とともに、重畳画像を、視認性を損なうことなく表示させることが可能になるという効果を奏する。
【００４１】
本発明の映像供給装置は、上記課題を解決するために、表示装置に映像を供給する映像供給装置であって、上記表示装置に供給すべき映像が、該映像を構成するフレームのそれぞれにおいて、表示装置にて出力される表示フレームが所定方向に圧縮されて複数並置されている並置方式で構成された映像である場合に、上記映像に重畳させる重畳画像を生成する重畳画像生成手段と、上記並置方式で構成された映像を上記表示装置に伝送するとともに、上記重畳画像を上記表示装置に伝送する伝送手段とを備えていることを特徴としている。
【００４２】
上記構成によれば、映像供給装置は、表示装置に供給すべき映像が、該映像を構成するフレームのそれぞれにおいて、表示装置にて出力される表示フレームが所定方向に圧縮されて複数並置されている並置方式で構成された映像である場合に、以下のとおりに動作する。まず、重畳画像生成手段が、映像に重畳させる重畳画像を生成する。続いて、伝送手段が、上記並置方式で構成された映像を、上記表示装置に伝送する一方、上記生成された重畳画像を上記映像には重畳させずに上記表示装置に伝送する。
【００４３】
これにより、表示装置は、映像と重畳画像とを互いに重畳されていない状態で受信することが可能となる。表示装置は、互いに重畳されていない状態であるので、映像と重畳画像とに対して各々別の表示処理を実行することができる。詳細には、表示装置は、映像に対して、表示フレームを元のとおりのサイズに伸張する処理を実施し、通常のサイズの重畳画像に対しては、伸張する処理を実施せずにそのまま、伸張後の表示フレームに重畳させることができる。したがって、重畳画像だけが不自然に伸張されることが無くなる。結果として、並置方式映像とともに、重畳画像を、視認性を損なうことなく表示させることが可能になるという効果を奏する。
【００４４】
上記映像供給装置では、例えば、上記重畳画像は、ユーザの指示入力に応じて当該映像供給装置が処理を実行するときの処理実行状態を表すものであり、上記重畳画像生成手段は、当該映像供給装置がユーザの指示入力を受け付けたとき、その指示内容に応じた重畳画像を生成してもよい。
【００４５】
上記映像供給装置では、例えば、上記重畳画像は、当該映像供給装置が映像を再生する再生処理を実行している映像に関する情報を表すものであり、上記重畳画像生成手段は、当該映像供給装置が再生処理を実行している映像に対応する重畳画像を生成してもよい。
【００４６】
上記映像供給装置では、例えば、上記重畳画像は、ユーザの指示入力に応じて当該映像供給装置が映像を記録する記録処理を実行するときの処理実行状態を表すものであってもよい。
【００４７】
上記映像供給装置では、例えば、上記重畳画像は、当該映像供給装置が映像を記録する記録処理を実行している映像に関する情報を表すものであり、上記重畳画像生成手段は、当該映像供給装置が記録処理を実行している映像に対応する重畳画像を生成してもよい。
【００４８】
上記映像供給装置では、例えば、上記重畳画像は、当該映像供給装置が映像を選局して受像する受像処理を実行している映像に関する情報を表すものであり、上記重畳画像生成手段は、当該映像供給装置が受像処理を実行している映像に対応する重畳画像を生成してもよい。
【００４９】
上記映像供給装置では、例えば、上記並置方式で構成された映像は、当該映像供給装置が読み取り可能な記録媒体から読み出された映像であってもよい。
【００５０】
上記映像供給装置では、例えば、上記並置方式で構成された映像は、当該映像供給装置が読み取り可能な記録媒体から読み出された映像、または、当該映像供給装置内に録画された映像であってもよい。
【００５１】
上記映像供給装置では、例えば、上記並置方式で構成された映像は、当該映像供給装置にて放送波を介して受信された映像であってもよい。
【００５２】
例えば、当該映像供給装置は、映像を再生する再生装置であってもよい。
【００５３】
例えば、当該映像供給装置は、映像を記録または再生する記録再生装置であってもよい。
【００５４】
例えば、当該映像供給装置は、映像を選局して受像する受像装置であってもよい。
【００５５】
本発明の映像供給方法は、上記課題を解決するために、表示装置に映像を供給する映像供給方法であって、上記表示装置に供給すべき映像が、該映像を構成するフレームのそれぞれにおいて、表示装置にて出力される表示フレームが所定方向に圧縮されて複数並置されている並置方式で構成された映像である場合に、上記映像に重畳させる重畳画像を生成する重畳画像生成ステップと、上記重畳画像生成ステップにて生成された重畳画像を、上記表示フレームと同じ方向および同じ圧縮率にて圧縮する圧縮ステップと、上記圧縮ステップにて圧縮された重畳画像を、上記フレームに含まれる少なくとも１つの圧縮された表示フレーム上の、上記映像上の重畳位置と相対的に同じ位置に重畳させる重畳ステップとを含むことを特徴としている。
【００５６】
本発明の映像供給方法は、上記課題を解決するために、表示装置に映像を供給する映像供給方法であって、上記表示装置に供給すべき映像が、該映像を構成するフレームのそれぞれにおいて、表示装置にて出力される表示フレームが所定方向に圧縮されて複数並置されている並置方式で構成された映像である場合に、上記映像に重畳させる重畳画像を生成する重畳画像生成ステップと、圧縮された各表示フレームを伸張して、伸張後の各表示フレームを連結することにより映像を復元する復元ステップと、上記復元ステップにて伸張された表示フレーム上の、上記映像上の重畳位置と同じ位置に、上記重畳画像生成ステップにて生成された重畳画像を重畳させる重畳ステップとを含むことを特徴としている。
【００５７】
本発明の映像供給方法は、上記課題を解決するために、表示装置に映像を供給する映像供給方法であって、上記表示装置に供給すべき映像が、該映像を構成するフレームのそれぞれにおいて、表示装置にて出力される表示フレームが所定方向に圧縮されて複数並置されている並置方式で構成された映像である場合に、上記映像に重畳させる重畳画像を生成する重畳画像生成ステップと、上記並置方式で構成された映像を上記表示装置に伝送するとともに、上記重畳画像を上記表示装置に伝送する伝送ステップとを含むことを特徴としている。
【００５８】
なお、上記映像供給装置は、コンピュータによって実現してもよく、この場合には、コンピュータを上記各手段として動作させることにより上記映像供給装置をコンピュータにて実現させる映像供給装置の制御プログラム、およびそれを記録したコンピュータ読み取り可能な記録媒体も、本発明の範疇に入る。
【発明の効果】
【００５９】
本発明の映像供給装置は、上記課題を解決するために、表示装置に映像を供給する映像供給装置であって、上記表示装置に供給すべき映像が、該映像を構成するフレームのそれぞれにおいて、表示装置にて出力される表示フレームが所定方向に圧縮されて複数並置されている並置方式で構成された映像である場合に、上記映像に重畳させる重畳画像を生成する重畳画像生成手段と、上記重畳画像生成手段によって生成された重畳画像を、上記表示フレームと同じ方向および同じ圧縮率にて圧縮する圧縮手段と、上記圧縮手段によって圧縮された重畳画像を、上記フレームに含まれる少なくとも１つの圧縮された表示フレーム上の、上記映像上の重畳位置と相対的に同じ位置に重畳させる重畳手段とを備えていることを特徴とする。
【００６０】
本発明の映像供給装置は、上記課題を解決するために、表示装置に映像を供給する映像供給装置であって、上記表示装置に供給すべき映像が、該映像を構成するフレームのそれぞれにおいて、表示装置にて出力される表示フレームが所定方向に圧縮されて複数並置されている並置方式で構成された映像である場合に、上記映像に重畳させる重畳画像を生成する重畳画像生成手段と、圧縮された各表示フレームを伸張して、伸張後の各表示フレームを連結することにより映像を復元する復元手段と、上記復元手段によって伸張された表示フレーム上の、上記映像上の重畳位置と同じ位置に、上記重畳画像生成手段によって生成された重畳画像を重畳させる重畳手段とを備えていることを特徴としている。
【００６１】
本発明の映像供給装置は、上記課題を解決するために、表示装置に映像を供給する映像供給装置であって、上記表示装置に供給すべき映像が、該映像を構成するフレームのそれぞれにおいて、表示装置にて出力される表示フレームが所定方向に圧縮されて複数並置されている並置方式で構成された映像である場合に、上記映像に重畳させる重畳画像を生成する重畳画像生成手段と、上記並置方式で構成された映像を上記表示装置に伝送するとともに、上記重畳画像を上記表示装置に伝送する伝送手段とを備えていることを特徴としている。
【００６２】
本発明の映像供給方法は、上記課題を解決するために、表示装置に映像を供給する映像供給方法であって、上記表示装置に供給すべき映像が、該映像を構成するフレームのそれぞれにおいて、表示装置にて出力される表示フレームが所定方向に圧縮されて複数並置されている並置方式で構成された映像である場合に、上記映像に重畳させる重畳画像を生成する重畳画像生成ステップと、上記重畳画像生成ステップにて生成された重畳画像を、上記表示フレームと同じ方向および同じ圧縮率にて圧縮する圧縮ステップと、上記圧縮ステップにて圧縮された重畳画像を、上記フレームに含まれる少なくとも１つの圧縮された表示フレーム上の、上記映像上の重畳位置と相対的に同じ位置に重畳させる重畳ステップとを含むことを特徴としている。
【００６３】
本発明の映像供給方法は、上記課題を解決するために、表示装置に映像を供給する映像供給方法であって、上記表示装置に供給すべき映像が、該映像を構成するフレームのそれぞれにおいて、表示装置にて出力される表示フレームが所定方向に圧縮されて複数並置されている並置方式で構成された映像である場合に、上記映像に重畳させる重畳画像を生成する重畳画像生成ステップと、圧縮された各表示フレームを伸張して、伸張後の各表示フレームを連結することにより映像を復元する復元ステップと、上記復元ステップにて伸張された表示フレーム上の、上記映像上の重畳位置と同じ位置に、上記重畳画像生成ステップにて生成された重畳画像を重畳させる重畳ステップとを含むことを特徴としている。
【００６４】
本発明の映像供給方法は、上記課題を解決するために、表示装置に映像を供給する映像供給方法であって、上記表示装置に供給すべき映像が、該映像を構成するフレームのそれぞれにおいて、表示装置にて出力される表示フレームが所定方向に圧縮されて複数並置されている並置方式で構成された映像である場合に、上記映像に重畳させる重畳画像を生成する重畳画像生成ステップと、上記並置方式で構成された映像を上記表示装置に伝送するとともに、上記重畳画像を上記表示装置に伝送する伝送ステップとを含むことを特徴としている。
【００６５】
結果として、並置方式映像とともに、重畳画像を、視認性を損なうことなく表示させることが可能になるという効果を奏する。
【図面の簡単な説明】
【００６６】
【図１】本発明の実施形態を示すものであり、記録再生装置の要部構成を示す機能ブロック図である。
【図２】従来技術を示すものであり、従来の技術における課題を説明する図である。
【図３】従来技術を示すものであり、従来の技術における課題を説明する図である。
【図４】従来技術を示すものであり、従来の技術における課題を説明する図である。
【図５】本発明の記録再生装置のハードウェア構成を示すブロック図である。
【図６】本発明のデジタルテレビのハードウェア構成を示すブロック図である。
【図７】記録再生装置の映像取得部が取得した３Ｄ映像の中のある１フレームの具体例を示す図である。
【図８】記録再生装置の重畳画像生成部が生成した重畳画像の一例を示す図である。
【図９】記録再生装置の画像圧縮部が生成した圧縮後重畳画像の一例を示す図である。
【図１０】記録再生装置の重畳部が、圧縮後重畳画像を重畳した後の映像におけるある１フレームの具体例を示す図である。
【図１１】映像復元部が３Ｄ映像を復元する動作の一例を説明する図である。
【図１２】映像復元部が３Ｄ映像を復元する動作の一例を説明する図である。
【図１３】記録再生装置から供給された映像をデジタルテレビが復元し、ディスプレイに出力したときの画面の一例を示す図である。
【図１４】本発明の実施形態における映像表示システムの処理の流れを示すフローチャートである。
【図１５】本発明の他の実施形態を示すものであり、記録再生装置の要部構成を示す機能ブロック図である。
【図１６】記録再生装置の映像復元部が、並置方式映像のフレームから、元の映像の各表示フレームを復元したときに得られる、復元後映像の具体例を示す図である。
【図１７】記録再生装置の重畳部が、復元後映像に重畳画像を重畳させたときに得られる映像の具体例を示す図である。
【図１８】本発明の他の実施形態における映像表示システムの処理の流れを示すフローチャートである。
【図１９】本発明のさらに他の実施形態を示すものであり、記録再生装置の要部構成、および、デジタルテレビの要部構成を示す機能ブロック図である。
【図２０】本発明のさらに他の実施形態における映像表示システムの処理の流れを示すフローチャートである。
【発明を実施するための形態】
【００６７】
以下の各実施形態では、本発明の映像表示システムについて説明する。本発明の映像供給装置および本発明の表示装置は、映像を再生し表示するための映像表示システムを構築する。
【００６８】
本発明の映像供給装置は、表示装置に映像を供給する装置である。ここで、本発明の映像供給装置が、「表示装置に映像を供給する」とは、映像供給装置と通信可能に接続された表示装置に、映像を直接的に供給すること、および、通信可能に接続された他の装置（上記映像を処理する装置など）を介して間接的に供給することの両方を含む。
【００６９】
本実施形態では、一例として、本発明の映像表示システムにおける映像供給装置は、表示装置との間で、映像供給装置は適宜の接続手段を介して情報の送受信が可能になっている。映像供給装置は、自装置で再生した映像を、接続手段を介して表示装置に供給することができる。表示装置は、映像供給装置から供給された映像をデコードしてモニタに出力し表示することができる。
【００７０】
なお、本発明の映像供給装置は、これには限定されないが、ＤＶＤ（Digital Versatile Disc）レコーダ／プレーヤ、ＨＤＤ（Hard Disc drive）レコーダ／プレーヤ、ＢＤ（Blu-ray Disc）レコーダ／プレーヤ、デジタルビデオカメラ、デジタルカメラ、パーソナルコンピュータ（ＰＣ）など、少なくともデジタル映像信号を処理して再生し、外部に供給する機能を備えた各種再生装置、または、記録再生装置に適用することが可能である。以下の各実施形態では、映像供給装置の一例として、ＢＤレコーダなどの記録再生装置を採用している。
【００７１】
さらに、映像を処理する機能を有する映像処理装置が、映像表示機能を有する表示装置に処理した映像を供給する場合、この映像処理装置は、本発明の映像供給装置に含まれる。
【００７２】
さらに、映像を選局し受像する機能（例えば、チューナなど）を有する受像装置が、映像表示機能を有する表示装置に受像した映像を供給する場合、この受像装置は、本発明の映像供給装置に含まれる。
【００７３】
さらに、映像を撮像する機能（例えば、ＣＣＤカメラなど）を有する撮像装置が、映像表示機能を有する表示装置に撮像した映像を供給する場合、この撮像装置は、本発明の映像供給装置に含まれる。
【００７４】
また、本発明の表示装置は、これには限定されないが、外部から供給されたデジタル映像信号を処理して表示することが可能なデジタルテレビ、パーソナルコンピュータ（ＰＣ）などに適用することが可能である。デジタルテレビとしては、液晶テレビ、プラズマテレビ、有機ＥＬテレビ、ブラウン管テレビ、ＨＤＤ（Hard disk drive）レコーダ内蔵テレビ、ＨＤＤプレーヤ内蔵テレビ、ＤＶＤ（Digital Versatile Disc）レコーダ内蔵テレビ、ＤＶＤプレーヤ内蔵テレビ、ＢＤ（Blu-ray Disc）レコーダ内蔵テレビ、ＢＤプレーヤ内蔵テレビ等が挙げられる。以下の各実施形態では、表示装置の一例として、３Ｄ液晶テレビ（以下、デジタルテレビ）を採用している。
【００７５】
≪実施形態１≫
本発明の実施形態について、図１〜１４に基づいて説明すると以下の通りである。
【００７６】
〔記録再生装置のハードウェア構成〕
図５は、本発明の実施形態における記録再生装置１００のハードウェア構成を示すブロック図である。記録再生装置１００は、図５に示すとおり、チューナ１、通信インターフェース２、赤外線受光部３、外部機器インターフェース４、信号処理回路群５、制御部１０、記録再生回路群１１、ならびに、記憶部６としての、ＨＤドライブ６０、ＲＯＭ６１、ＲＡＭ６２およびＢＤドライブ６３を備えている。
【００７７】
制御部１０は、記録再生装置１００に対して入力された制御信号に応じて、上記各部を統括制御するものである。記録再生装置１００に対して入力される制御信号としては、記録再生装置１００本体に設けられた図示しない操作ボタンによって入力された制御信号、図示しないリモコンから送信され、赤外線受光部３が受信した制御信号、外部機器インターフェース４を介して外部機器から送信された制御信号、通信インターフェース２を介してネットワーク機器から送信された制御信号等が挙げられる。なお、制御部１０において、本発明の機能を実現するための機能構成は、後に詳述する。
【００７８】
チューナ１は、地上デジタル放送により放送される放送番組（放送映像）を受信するための地上デジタル放送チューナである。チューナ１は、例えば、受信信号をアナログベースバンド信号に変換するＲＦ部、アナログベースバンド信号をデジタルベースバンド信号に変換するＡＤＣ部、デジタルベースバンド信号から例えばＭＰＥＧストリームなどを復調する復調部、および、ＭＰＥＧストリームなどから映像信号および音声信号を復号する復号部により構成することができる。
【００７９】
放送番組を録画する際には、チューナ１により復調されたＭＰＥＧストリームは、バスを介して、制御部１０の制御下で、記録再生回路群１１に供給される。また、取得した放送番組をデジタルテレビ２００に供給する際には、チューナ１により復号された映像信号および音声信号は、それぞれ、図示しない映像セレクタおよび音声セレクタに供給されたのち、信号処理回路群５に供給される。なお、チューナ１が何れのチャンネルを復調対象として選択するかは、制御部１０により制御される。
【００８０】
なお、チューナ１は、異なるチャンネルを介して放送される２つのＭＰＥＧストリームを同時に復調することが可能なダブルチューナであってもよい。チューナ１は、ダブルチューナに限定されるものではなく、例えば、シングルチューナであってもよく、３つ以上のチューナを備える複数のチューナであってもよい。
【００８１】
また、チューナ１は、衛星放送により放送される放送番組を受信するための衛星放送チューナであってもよい。
【００８２】
通信インターフェース２は、記録再生装置１００をネットワークや、各種ネットワーク機器に接続するためのインターフェースである。通信インターフェース２としては、ＬＡＮインターフェース等が挙げられる。
【００８３】
赤外線受光部３は、記録再生装置１００を遠隔操作するためのリモコン（図示せず）から送信される赤外線制御信号を受光するものである。
【００８４】
外部機器インターフェース４は、外部の装置を記録再生装置１００に接続するためのインターフェースである。外部機器インターフェース４としては、ＨＤＭＩ（High Definition Multimedia Interface）や、ｉＬｉｎｋ等が挙げられる。
【００８５】
信号処理回路群５は、チューナ１により復号された映像信号および音声信号を処理するための回路群よりなる。信号処理回路群５は、例えば、図６に示すデジタルテレビ２００の信号処理回路群５と同様に、映像処理回路１５、重畳画像生成回路１６、重畳処理回路２２、および、音声処理回路１７などを含んでいる。
【００８６】
映像処理回路１５は、制御部１０の制御下で、必要に応じて、映像セレクタから供給された映像信号を処理するものである。具体的には、例えば、映像処理回路１５は、映像信号が表す映像の輝度、シャープネス、および、コントラストなどを調整する画質調整処理を実行する。あるいは、映像処理回路１５は、映像信号が表す映像のサイズを相似拡大または相似縮小するスケーリング処理を実行してもよい。さらに、映像処理回路１５は、必要に応じて、制御部１０の指示にしたがって、並置方式の映像の各フレームから、表示フレームを伸張し、伸張した各表示フレームを所定の順序に並べ替える復元処理を実行してもよい。
【００８７】
重畳画像生成回路１６は、制御部１０の制御下で、制御部１０から供給された重畳データに基づいて重畳画像を生成（レンダリング）するものである。重畳画像生成回路１６が生成する重畳画像としては、図２に示す重畳画像Ｐのような、記録再生装置１００の動作（録画中、再生中、一時停止、早送り）の情報、または、再生番組タイトルが想定される。さらに、電子番組表、メニュー画面、操作画面等が重畳画像として生成されてもよい。重畳データには、例えば、ＳＶＧ（Scalable Vector Graphics）を用いることができる。重畳画像生成回路１６により生成された重畳画像は、重畳処理回路２２によって、映像処理回路１５から供給された映像信号に重畳される。
【００８８】
重畳処理回路２２は、制御部１０の制御下で、映像処理回路１５から供給された映像信号に、重畳画像生成回路１６によって生成された重畳画像を重畳させるものである。重畳画像が重畳された映像信号は、外部機器インターフェース４を介してデジタルテレビ２００に供給される。
【００８９】
音声処理回路１７は、制御部１０の制御下で、必要に応じて、音声セレクタから供給された音声信号に音量調整処理、または、音質調整処理を施す。ここで、音量調整処理とは、音声信号を加工することによって、その音声信号が表す音声の音量を変更することを指す。また、音質調整処理とは、音声信号を加工することによって、その音声信号が表す音声の周波数特性を変更すること（例えば、低域の強調や高域の強調等）を指す。音声処理回路１７によって加工された音声信号は、映像信号とともに、外部機器インターフェース４を介してデジタルテレビ２００に供給される。
【００９０】
記憶部６は、記録再生装置１００が動作するために、制御部１０が読み出す各種データを記憶するものである。本実施形態では、記録再生装置１００の記憶部６は、例えば、ＨＤドライブ６０、ＲＯＭ６１、ＲＡＭ６２、ＢＤドライブ６３で構成されている。
【００９１】
ＨＤドライブ６０は、ＨＤ（Hard Disc）に対する、情報の記録または再生を実現するものである。ＨＤドライブ６０は、図５に示すＢＤドライブ６３と同様、光ディスク７（この場合光ディスクはＨＤ）と、光ピックアップ９とによって構成されている。
【００９２】
ＲＯＭ６１は、制御部１０によって実行されるプログラム等の固定データが格納される、読み出し可能かつ書き込み不能なメモリである。
【００９３】
一方、ＲＡＭ６２は、制御部１０が演算のために参照するデータや、制御部１０が演算によって生成したデータ等の可変データが格納される、読み出し可能かつ書き込み可能なメモリである。
【００９４】
例えば、ＲＯＭ６１は、制御部１０が実行する（１）制御プログラム、（２）ＯＳプログラム、（３）制御部１０が、各種機能を実行するためのアプリケーションプログラムなどを記憶する。ＲＡＭ６２は、（４）上記アプリケーションプログラムを実行するときに読み出す各種データなどを記憶する。
【００９５】
ＢＤドライブ６３は、光ディスクとしてのＢＤ（Blu-ray Disc）に対する、情報の記録または再生を実現するものである。ＢＤドライブ６３は、光ディスク７と光ピックアップ９とによって構成されている。光ピックアップ９は、光ヘッド８を備えており、光ディスク７においてデータの記録および再生を行う。光ヘッド８は、光軸方向及び光ディスク７の径方向であるラジアル方向に対して移動可能になっている。光ヘッド８は、記録時には、光ディスク７の所定の記録位置に対して、情報を記録するための光ビーム（レーザビーム）を照射して情報を書き込む。また、光ヘッド８は、再生時には、再生するための光ビームを、光ディスク７の所定の読み込み位置に対して照射することにより、光ディスク７から得られる反射光を検出し、記録再生回路群１１（の再生回路１４）に対して出力する。
【００９６】
記録再生回路群１１は、制御部１０の制御下で、光ディスク７に対して情報の記録および再生を行うための回路群よりなる。記録再生回路群１１は、例えば、ピックアップ駆動回路１２、レーザ駆動回路１３、再生回路１４などを含んでいる。
【００９７】
ピックアップ駆動回路１２は、制御部１０からの制御信号に従って光ピックアップ９を駆動させるものである。ピックアップ駆動回路１２は、光ピックアップ９を駆動して、光ピックアップ９を光ディスク７の図示しないトラックに対して、つまり上記ラジアル方向および上記光軸方向に移動させる。
【００９８】
レーザ駆動回路１３は、光ヘッド８から照射する記録用光ビームまたは再生用光ビームの出力を制御するものである。
【００９９】
再生回路１４は、光ヘッド８が検出した反射光を再生信号に変換し、制御部１０に対して出力するものである。
【０１００】
〔デジタルテレビのハードウェア構成〕
図６は、本発明の実施形態におけるデジタルテレビ２００のハードウェア構成を示すブロック図である。デジタルテレビ２００は、図６に示すとおり、チューナ１、通信インターフェース２、赤外線受光部３、外部機器インターフェース４、信号処理回路群５、ＬＣＤ１９、ＬＣＤコントローラ１８、スピーカ２１、制御部２０、ならびに、記憶部６としての、ＲＯＭ６１およびＲＡＭ６２を備えている。
【０１０１】
なお、図６の各構成要素に付された符号は、図５の各構成要素に付された符号に対応しており、同じ符号は、同じ構成要素を示している。図６に図示された各構成要素は、デジタルテレビ２００に適合するように制御部２０の制御下で動作するという点を除いては、図５に図示された記録再生装置１００の同じ符号の各構成要素と同じである。したがって、既述の構成要素についての説明と重複する説明はここでは省略する。
【０１０２】
制御部２０は、デジタルテレビ２００に対して入力された制御信号に応じて、上記各部を統括制御するものである。なお、制御部２０において、本発明の機能を実現するための機能構成は、後に詳述する。
【０１０３】
信号処理回路群５は、チューナ１により復号された映像信号および音声信号、または、外部機器インターフェース４を介して、記録再生装置１００から供給された映像信号および音声信号を処理するための回路群よりなる。信号処理回路群５は、例えば、図５に示す記録再生装置１００の信号処理回路群５と同様に、映像処理回路１５、重畳画像生成回路１６、重畳処理回路２２、および、音声処理回路１７などを含んでいる。
【０１０４】
映像処理回路１５は、本実施形態では、制御部２０の指示にしたがって、必要に応じて、並置方式の映像の各フレームから、表示フレームを伸張し、伸張した各表示フレームを所定の順序に並べ替える復元処理を実行する。記録再生装置１００から供給された映像信号がすでに、記録再生装置１００の重畳画像を含む場合、映像処理回路１５は、それらも合わせて復元する。
【０１０５】
重畳画像生成回路１６は、制御部２０の制御下で、自装置（デジタルテレビ２００）にて生成された重畳画像をレンダリングする。
【０１０６】
重畳画像生成回路１６によって生成された重畳画像は、重畳処理回路２２によって、映像処理回路１５から供給された映像信号に重畳される。重畳画像が重畳された映像信号は、重畳処理回路２２からＬＣＤコントローラ１８に供給される。音声処理回路１７によって加工された音声信号は、上記映像信号とともに、ＬＣＤコントローラ１８に供給される。
【０１０７】
ＬＣＤコントローラ１８は、映像処理回路１５から供給された映像信号に基づいて、その映像信号が表す映像を表示するようにＬＣＤ１９を駆動する。また、重畳画像生成回路１６から重畳画像が供給されている場合、ＬＣＤコントローラ１８は、重畳処理回路２２から供給された、重畳画像が重畳された映像信号に基づいて、その映像信号が表す映像を表示するようにＬＣＤ１９を駆動する。なお、本実施形態では、デジタルテレビ２００の一例として、３Ｄ液晶テレビを採用している。このために、デジタルテレビ２００は、ディスプレイとしてＬＣＤ１９を採用しており、ディスプレイコントローラとして、ＬＣＤコントローラ１８を採用している。したがって、デジタルテレビ２００に３Ｄ液晶テレビ以外のテレビを採用した場合には、これに応じたディスプレイおよびディスプレイコントローラが採用されることとなる。
【０１０８】
スピーカ２１は、音声処理回路１７から供給された音声信号に基づいて、その音声信号が表す音声を出力するものである。スピーカ２１は、図示しないアンプによって、音声を出力するように駆動される。
【０１０９】
〔記録再生装置の機能〕
次に、記録再生装置１００の機能構成について説明する。図１は、記録再生装置１００の要部構成を示す機能ブロック図である。
【０１１０】
図１に示すとおり、記録再生装置１００の制御部１０は、機能ブロックとして、再生制御部３１、記録制御部３２、映像取得部４１、表示モード制御部４２、重畳画像生成部４３、画像圧縮部４４、および、重畳部４５を備えている。
【０１１１】
このうち、再生制御部３１および記録制御部３２は、記録再生制御部３０として機能する。記録再生制御部３０は、記録再生機能を実現するものであり、記録再生機能とは、記録再生回路群１１、および、ＢＤドライブ６３またはＨＤドライブ６０を制御して光ディスクについて情報の記録および再生を行う機能を指す。
【０１１２】
再生制御部３１は、装填された光ディスク７に対して再生制御を行うものである。すなわち、ピックアップ駆動回路１２、レーザ駆動回路１３および再生回路１４を制御して、光ディスク７に記憶されているデータを読み込む。
【０１１３】
記録制御部３２は、装填された光ディスク７に対して記録制御を行うものである。すなわち、ピックアップ駆動回路１２およびレーザ駆動回路１３を制御して、光ディスク７の記憶位置にデータを書き込む。
【０１１４】
また、上述の機能ブロックのうち、映像取得部４１、表示モード制御部４２、重畳画像生成部４３、画像圧縮部４４および重畳部４５は、映像処理制御部４０として機能する。映像処理制御部４０は、映像処理機能を実現するものであり、映像処理機能とは、信号処理回路群５を制御して、デジタルテレビ２００に供給するための映像信号（あるいは、映像信号および音声信号）を処理する機能を指す。
【０１１５】
映像取得部４１は、制御部１０が制御する各部から映像信号を取得するものである。具体的には、映像取得部４１は、チューナ１、通信インターフェース２、または、外部機器インターフェース４を介して取得された映像信号、または、記録再生回路群１１が再生した映像信号、または、記憶部６に記憶されている映像信号を取得する。映像取得部４１は、取得した映像信号を、表示モード制御部４２および重畳部４５に供給する。
【０１１６】
表示モード制御部４２は、取得された映像信号に基づいて、該映像信号によって表されている映像を、フレームシーケンシャル方式の映像として取り扱うか、並置方式映像として取り扱うかを判定するものである。フレームシーケンシャル方式とは、既述の並置方式とは異なり、映像を構成する各フレームが、表示フレームと１対１で対応しており、各表示フレームが表示される順序どおりに１コマ１コマ並んでいる方式である。本実施形態では、一例として、以下では、立体視を目的としないフレームシーケンシャル方式の映像を２Ｄ映像、立体視を目的とした並置方式の映像（立体視用映像）を３Ｄ映像と称する。
【０１１７】
表示モード制御部４２は、映像信号に対して適宜の処理を行って、２Ｄ映像であるか、３Ｄ映像であるかを判断するとともに、３Ｄ映像である場合には、サイドバイサイド方式であるのか、トップアンドボトム方式であるのか、あるいは、その他の具体的な並置方式であるのか、など、表示フレームのレイアウトを判断する。
【０１１８】
表示モード制御部４２は、例えば、特許文献１または２に開示されているような技術に基づいて、入力された映像の方式を判断することができる。あるいは、あらかじめユーザによって指定された方式に基づいて、入力された映像の方式を決定してもよい。映像の方式がユーザによって指定される構成では、表示モード制御部４２は、例えば、赤外線受光部３を介して受信された制御信号にしたがって、指定された方式で映像を認識するように映像処理制御部４０の各部の表示モードを切り替える。あるいは、表示モード制御部４２は、入力された映像が、放送番組である場合には、チューナ１にて受信された、上記放送番組に付随する番組情報（例えば３Ｄ映像である旨、方式を表す情報が含まれているなど）に基づいて、方式を決定してもよい。
【０１１９】
表示モード制御部４２が決定した方式は、映像処理制御部４０の画像圧縮部４４および重畳部４５に伝達される。
【０１２０】
重畳画像生成部４３は、重畳画像生成回路１６を制御して、入力された映像に重畳すべき重畳画像を生成するものである。重畳画像生成部４３は、例えば、赤外線受光部３を介して受信された制御信号にしたがって、必要なタイミングで映像に重畳させるべき重畳画像を生成する。例えば、重畳画像は、フレームの既定の位置に表示されるべく、ＳＶＧにて生成される。
【０１２１】
画像圧縮部４４は、重畳画像生成回路１６を制御して、重畳画像生成部４３によって生成された重畳画像を圧縮するものである。本実施形態では、画像圧縮部４４は、表示モード制御部４２によって認識された映像の方式（各フレームにおける表示フレームのレイアウト）にしたがって、表示フレームと同じ圧縮率および同じ圧縮方向にて、生成された重畳画像を圧縮する。
【０１２２】
例えば、入力された映像の各フレームにおいて、表示フレームが水平方向に１／２に圧縮され、左右に２枚配置されているような場合には、画像圧縮部４４は、生成された重畳画像を、水平方向に１／２に圧縮する。
【０１２３】
画像圧縮部４４が圧縮した重畳画像は、重畳部４５に対して供給される。
【０１２４】
重畳部４５は、映像処理回路１５、重畳画像生成回路１６および重畳処理回路２２を制御して、映像取得部４１によって取得された映像に対して、重畳画像生成部４３によって生成された重畳画像を重畳するものである。重畳部４５は、表示位置が既定されている重畳画像については、映像の各フレームの既定位置に表示されるよう、重畳位置および重畳タイミングを制御する。重畳部４５が処理した映像信号は、重畳画像が重畳された状態で、外部機器インターフェース４に対して出力される。そして、外部機器インターフェース４を介してデジタルテレビ２００に供給される。
【０１２５】
なお、上記機能ブロックとして示される各部は、ＣＰＵ（central processing unit）で実現される制御部１０がＲＯＭ（read only memory）６１等の記憶装置に記憶されているプログラムをＲＡＭ（random access memory）６２等に読み出して実行することで実現できる。
【０１２６】
すなわち、例えば、図１に示す、機能ブロックとしての映像処理制御部４０の各部は、図５に示す信号処理回路群５を制御して画像処理などを実行させることにより、上述の各機能を実現する。
【０１２７】
次に、図７〜図１３を参照して、記録再生装置１００が映像処理機能を実現するための映像処理制御部４０の各部の動作を、具体例に基づいて説明する。以下で例示される具体例は、本発明の各部の動作説明を行うための一例であって、本発明を限定する意図はない。
【０１２８】
例えば、すでに、チューナ１が、並置方式の映像である放送番組を取得して、ＢＤドライブ６３の光ディスク７に格納しており、その放送番組を再生する旨の指示が、赤外線受光部３を介して記録再生装置１００に入力された場合を考える。
【０１２９】
まず、映像取得部４１は、再生制御部３１が光ディスク７から読み出した上記放送番組の３Ｄ映像（映像信号）を取得する。図７は、映像取得部４１が取得した３Ｄ映像の中のある１フレームの一例を示す図である。図７に示す例では、上記３Ｄ映像では、１フレームにつき、左目用表示フレーム７０と右目用表示フレーム７１とが水平方向に１／２に圧縮され、左右に配置されている。すなわち、上記３Ｄ映像では、サイドバイサイド方式が採用されている。
【０１３０】
次に、表示モード制御部４２は、入力された映像の方式を認識する。ここでは、表示モード制御部４２は、上記３Ｄ映像を取り扱うときの方式を、縦×横＝１×２のサイドバイサイド方式であると決定する。
【０１３１】
一方、重畳画像生成部４３は、所定のイベントをトリガとして、イベントに応じた重畳画像を生成する。所定のイベントとは、ユーザが操作するリモコンから制御信号の入力を受け付けたとき、記録再生装置１００自身が新たな動作を開始するときなどであり、特に限定されない。例えば、記録再生装置１００が放送番組を再生中は、「再生中」であることを示すマークが表示されるように重畳画像を生成してもよいし、そこで、一時停止の指示がリモコンから入力されたときには、「一時停止中」であることを示すマークが表示されるように重畳画像を生成してもよい。図８は、重畳画像生成部４３が生成した重畳画像の一例を示す図である。図８に示す例では、重畳画像７２は、再生中の放送番組のタイトルと、再生中であることを示すマークとを含む画像である。
【０１３２】
次に、画像圧縮部４４は、表示モード制御部４２によって決定された方式（または表示フレームのレイアウト）にしたがって、重畳画像生成部４３によって生成された重畳画像を圧縮する。ここでは、表示モード制御部４２は、各表示フレームが水平方向に１／２に圧縮された、縦×横＝１×２のサイドバイサイド方式であると決定した。そこで、画像圧縮部４４は、図８に示す重畳画像７２に対しても同様に、水平方向に１／２に圧縮する処理を施す。図９は、画像圧縮部４４が生成した圧縮後の重畳画像の一例を示す図である。図９に示すとおり、画像圧縮部４４は、重畳画像７２を圧縮して、圧縮後重畳画像７３を生成する。
【０１３３】
続いて、重畳部４５は、画像圧縮部４４から圧縮後重畳画像７３が供給された場合には、映像取得部４１から供給された映像に対して、圧縮後重畳画像７３を重畳する。図１０は、重畳部４５が、圧縮後重畳画像を重畳した後の映像におけるある１フレームの具体例を示す図である。重畳部４５は、表示モード制御部４２が決定した方式に基づいて、供給された映像が、表示フレームのレイアウトが縦×横＝１×２であるサイドバイサイド方式を採用していると認識している。したがって、重畳部４５は、図１０に示すとおり、画像圧縮部４４によって圧縮された圧縮後重畳画像７３を、左目用表示フレーム７０と右目用表示フレーム７１との既定位置にそれぞれ重畳させる。
【０１３４】
ここで、本実施形態では、重畳画像は、内容に応じて予め表示位置および表示サイズが定められているものとする。例えば、図８に示す重畳画像７２は、フレームの最左上端を原点（０、０）とし、フレームの最右下端を（Ｘｍａｘ、Ｙｍａｘ）とした場合に、（Ｘｏ、Ｙｏ）を始点として所定のサイズで表示されると決定されている。
【０１３５】
そこで、重畳部４５は、各表示フレーム上に圧縮後重畳画像７３を重畳させるとき、オリジナルの重畳画像７２のフレーム上の表示位置と相対的に同じ位置に、圧縮後重畳画像７３をそれぞれ重畳させる。具体的には、図８に示すとおり、元のフレームにおいて、オリジナルの重畳画像７２が、（Ｘｏ、Ｙｏ）を始点として表示される場合には、重畳部４５は、フレームの左に配置される左目用表示フレーム７０に重畳させる圧縮後重畳画像７３の表示位置、すなわち、始点（ＸＬ、ＹＬ）を以下のようにして求める。
ＸＬ＝０＋１／２＊Ｘｏ
ＹＬ＝Ｙｏ
また、重畳部４５は、フレームの右に配置される右目用表示フレーム７１に重畳させる圧縮後重畳画像７３の表示位置、すなわち、始点（ＸＲ、ＹＲ）を以下のようにして求める。
ＸＲ＝１／２＊Ｘｍａｘ＋１／２＊Ｘｏ
ＹＲ＝Ｙｏ
以上の式は、表示フレームが水平方向（Ｘ方向）に１／２に圧縮されているケースに適用できる。
【０１３６】
一方、表示フレームが垂直方向（Ｙ方向）に１／２に圧縮され、表示フレームのレイアウトが縦×横＝２×１であるトップアンドボトム方式のケースでは、重畳部４５は、始点（ＸＬ、ＹＬ）および始点（ＸＲ、ＹＲ）を以下のようにして求める。なお、このケースでは、左目用表示フレーム７０が上に、右目用表示フレーム７１が下に配置されているものとする。
ＸＬ＝Ｘｏ
ＹＬ＝０＋１／２＊Ｙｏ
ＸＲ＝Ｘｏ
ＹＲ＝１／２＊Ｙｍａｘ＋１／２＊Ｙｏ
なお、本実施形態では、重畳部４５が、左目用表示フレーム７０と右目用表示フレーム７１との両方に、圧縮後重畳画像７３を重畳させる構成について説明したが、本発明の記録再生装置１００の構成は上記に限定されない。
【０１３７】
重畳部４５は、２分割されている左目用表示フレーム７０および右目用表示フレーム７１のうち、少なくともいずれか一方に圧縮後重畳画像７３を重畳させればよい。左目用表示フレーム７０および右目用表示フレーム７１は、高速に交互に表示されるので、左目用表示フレーム７０および右目用表示フレーム７１のどちらか一方にでも圧縮後重畳画像７３が配置されていれば、ユーザは、重畳画像を問題なく視認することができる。しかし、両目に違和感なく表示するためには、上述したとおり、重畳部４５が、圧縮後重畳画像７３を左目用表示フレーム７０および右目用表示フレーム７１の両方に配置することが望ましい。
【０１３８】
なお、重畳部４５は、各表示フレーム上に、オリジナルと相対的に同じ位置となる始点を特定した上で、さらに、この重畳画像にも視差を付けてもよい。重畳部４５は、重畳画像に視差を付けるために、左目用表示フレーム７０に重畳させる圧縮後重畳画像７３の重畳位置と、右目用表示フレーム７１に重畳させる圧縮後重畳画像７３の重畳位置とを特定した始点を基準にして微調整してもよい。圧縮後重畳画像７３にも視差を付ける手法としては、例えば、特許文献３、４などに開示された技術を採用することができる。
【０１３９】
以上のようにして、重畳画像が付加された映像信号は、外部機器インターフェース４を介してデジタルテレビ２００に供給される。
【０１４０】
デジタルテレビ２００では、図示しない制御部２０の表示モード制御部が、上記映像信号に基づく映像が、縦×横＝１×２のサイドバイサイド方式であると認識する。そして、図示しない映像復元部が、各フレームの左目用表示フレームおよび右目用表示フレームを水平方向に２倍に伸張する。さらに、映像復元部は、伸張した表示フレームを、所定の順序（ここでは、左目用、右目用交互に）出力して映像を復元する。
【０１４１】
図１１および図１２は、デジタルテレビ２００の映像復元部が３Ｄ映像を復元する動作の一例を説明する図である。
【０１４２】
例えば、図１１に示す、サイドバイサイド方式の３Ｄ映像７４が供給された場合、映像復元部は、表示フレームＬ１、Ｒ１、Ｌ２、Ｒ２、Ｌ３、Ｒ３・・・をそれぞれ水平方向に２倍に伸張し、伸張後の表示フレームを、同順序に並べて映像を復元する。同図の復元後映像７５は、映像復元部によって復元されたフレームシーケンシャルな映像を示す。なお、トップアンドボトム方式の３Ｄ映像７６が供給された場合、映像復元部は、表示フレームＬ１、Ｒ１、Ｌ２、Ｒ２、Ｌ３、Ｒ３・・・をそれぞれ垂直方向に２倍に伸張し、伸張後の表示フレームを、同順序に並べて映像を復元し、復元後映像７５を生成する。
【０１４３】
さらに、デジタルテレビ２００の映像復元部は、縦×横＝２×２の並置方式を採用した映像を復元できてもよい。図１２に示すとおり、縦×横＝２×２の並置方式の３Ｄ映像７７が供給された場合、映像復元部は、表示フレームＬ１、Ｒ１、Ｌ２、Ｒ２、Ｌ３、Ｒ３、Ｌ４、Ｒ４、Ｌ５、Ｒ５、Ｌ６、Ｒ６・・・をそれぞれ水平方向および垂直方向に２倍に伸張し、伸張後の表示フレームを、同順序に並べて映像を復元し、図１１に示す復元後映像７５を取得してもよい。
【０１４４】
この場合、記録再生装置１００の重畳部４５は、縦横１／２ずつ圧縮された圧縮後重畳画像７３を、４枚のすべての表示フレーム、または、左目用および右目用どちらかの表示フレーム（２枚）に、重畳させる。
【０１４５】
このように、本発明の本実施形態における記録再生装置１００によれば、記録再生装置１００にて生成された重畳画像７２を、並置方式映像における表示フレームと同じ圧縮方向に同じ圧縮率で圧縮された状態（圧縮後重畳画像７３）で、相対的に同じ位置に重畳させることができる。したがって、そのような３Ｄ映像をデジタルテレビ２００側で、復元すると、重畳画像７２は、不要な分断および伸張が施されることなく、元の重畳画像７２と同じ状態でデジタルテレビ２００のＬＣＤ１９に表示される。
【０１４６】
図１３は、記録再生装置１００から供給された映像をデジタルテレビ２００が復元し、ＬＣＤ１９に出力したときのＬＣＤ１９の画面の一例を示す図である。図１３に示すとおり、デジタルテレビ２００の映像復元部が、記録再生装置１００から供給された３Ｄ映像（図１０に示す３Ｄ映像）を復元すると、重畳画像７２が、不要な分断および伸張が施されることなく、元と同じ状態で復元される。
【０１４７】
このように、本発明の記録再生装置１００によれば、並置方式映像とともに、重畳画像を、視認性を損なうことなく表示させることが可能な映像表示システムを実現することができる。
【０１４８】
〔映像表示システムの処理フロー〕
図１４は、本実施形態における映像表示システムにおける処理の流れを示すフローチャートである。
【０１４９】
例えば、記録再生装置１００の赤外線受光部３が、録画されている映像を再生する旨の制御信号を受け付けると（Ｓ１０１においてＹＥＳ）、再生制御部３１が映像の再生処理を開始し、映像を映像処理制御部４０の映像取得部４１に供給する。映像取得部４１は、再生制御部３１から供給された再生すべき映像（例えば、図７）の映像信号を取得する（Ｓ１０２）。
【０１５０】
続いて、記録再生装置１００において重畳画像生成のトリガとなるイベントが発生しない場合には（Ｓ１０３においてＮＯ）、映像取得部４１が取得した映像は、重畳部４５において何も処理されないまま（すなわち、何の重畳画像も付されないまま）、外部機器インターフェース４を介して、デジタルテレビ２００に対して供給される（Ｓ１１０）。
【０１５１】
一方、重畳画像生成のトリガとなるイベントが発生した場合（Ｓ１０３においてＹＥＳ）、重畳画像生成部４３は、発生したイベントに対応する重畳画像（例えば、図８）を生成する（Ｓ１０４）。
【０１５２】
なお、Ｓ１０１にて、映像再生指示が入力されたことそのものが、必ず重畳画像生成のトリガとなるという構成では、重畳画像生成のトリガの発生有無を判断するステップ：Ｓ１０３は不要である。よって、このような場合、記録再生装置１００は、Ｓ１０２の後にＳ１１０へ分岐すること無く、すべての映像再生指示に応じて、重畳画像を生成するステップ：Ｓ１０４に遷移する構成であってもよい。
【０１５３】
Ｓ１０２の完了時点から、Ｓ１０６またはＳ１０７の開始時点までの間のいずれかの時点で、表示モード制御部４２は、Ｓ１０２にて取得された映像の方式を判断しておく。表示モード制御部４２が、映像の方式が並置方式ではないと判断した場合、すなわち、フレームシーケンシャル方式であると判断した場合（Ｓ１０５においてＮＯ）、重畳部４５は、映像取得部４１によって取得された映像に対して、Ｓ１０４にて生成された重畳画像を重畳させて（Ｓ１０６）、映像を出力する。重畳部４５が出力した映像は、外部機器インターフェース４を介してデジタルテレビ２００に供給される（Ｓ１１０）。
【０１５４】
一方、表示モード制御部４２が、映像の方式が並置方式であると判断した場合（Ｓ１０５においてＹＥＳ）、表示モード制御部４２は、さらに、その映像における、表示フレームのレイアウトを特定する（Ｓ１０７）。ここでは、図７に示すとおり、縦×横＝１×２のサイドバイサイド方式であると特定されたとする。
【０１５５】
続いて、画像圧縮部４４は、特定された表示フレームのレイアウトにしたがって、Ｓ１０４にて生成された重畳画像を圧縮する（Ｓ１０８）。例えば、ここでは、特定された表示フレームと同様、画像圧縮部４４は、水平方向に１／２に圧縮した圧縮後重畳画像（例えば、図９）を生成する。
【０１５６】
最後に、重畳部４５は、Ｓ１０８にて生成された圧縮後重畳画像を、Ｓ１０２にて取得された映像に重畳させる（Ｓ１０９）。重畳画像付加後の映像（例えば、図１０）は、外部機器インターフェース４に出力され、外部機器インターフェース４を介してデジタルテレビ２００に供給される（Ｓ１１０）。
【０１５７】
ここで、記録再生装置１００において、例えば、ユーザが操作するリモコンなどから、映像終了指示の入力を受け付けない限りは（Ｓ１１１においてＮＯ）、記録再生装置１００は、上述の処理（すなわち映像の再生）を継続する。すなわち、Ｓ１０２のステップに戻る。一方、映像終了指示の入力を受け付けた場合には（Ｓ１１１においてＹＥＳ）、映像の再生を終了する。
【０１５８】
これに対して、デジタルテレビ２００では、外部機器インターフェース４が記録再生装置１００から供給された映像を取得すると（Ｓ２０１においてＹＥＳ）、デジタルテレビ２００の制御部２０の表示モード制御部は、取得された映像の方式を判断する（Ｓ２０２）。ここで、表示モード制御部が、上記映像の方式は並置方式ではないと判断すると（Ｓ２０２においてＮＯ）、デジタルテレビ２００の信号処理回路群５は、通常通り、フレームシーケンシャル方式の各表示フレームを順次出力して、ＬＣＤ１９に映像を表示させる（Ｓ２０５）。
【０１５９】
一方、表示モード制御部が、上記映像の方式は並置方式であると判断すると（Ｓ２０２においてＹＥＳ）、続いて、表示モード制御部は、その映像における、表示フレームのレイアウトを特定する（Ｓ２０３）。ここでは、図７に示すとおり、縦×横＝１×２のサイドバイサイド方式であると特定されたとする。
【０１６０】
続いて、映像復元部は、Ｓ２０３にて特定された表示フレームのレイアウトにしたがって、Ｓ２０１にて取得された映像を復元する。具体的には、映像の各フレームに配置されている表示フレームを各々水平方向に２倍に伸張する（Ｓ２０４）。そして、伸張した表示フレームを所定の順序に並べる。ここでは、図１１に示すとおり、映像復元部は、３Ｄ映像７４から、復元後映像７５を得る。
【０１６１】
最後に、映像復元部の制御下で信号処理回路群５が生成した復元後映像７５は、各表示フレームが順次出力されて、ＬＣＤ１９に表示される（Ｓ２０５）。
【０１６２】
上記方法によれば、記録再生装置１００にて生成された重畳画像を、並置方式映像における表示フレームと同じ圧縮方向に同じ圧縮率で圧縮された状態（圧縮後重畳画像７３）で、相対的に同じ位置に重畳させることができる。したがって、そのような３Ｄ映像をデジタルテレビ２００側で、復元すると、重畳画像７２は、不要な分断および伸張が施されることなく、元の重畳画像７２と同じ状態でデジタルテレビ２００のＬＣＤ１９に表示される。
【０１６３】
結果として、並置方式映像とともに、重畳画像を、視認性を損なうことなく表示させることが可能な映像表示システムを実現することができる。
【０１６４】
その上、上記構成によれば、デジタルテレビ２００は、記録再生装置１００から供給された並置方式の映像を、従来どおり、復元するだけである。つまり、記録再生装置１００の重畳画像がデジタルテレビ２００において適正に表示されるためには、本発明の記録再生装置１００があればよく、デジタルテレビ２００の側の構成に改良を加える必要がない。これは、通常、デジタルテレビ２００の方が、記録再生装置１００よりも高価で、より広く流通・普及していることを考慮すると、記録再生装置１００を導入するだけで、より安価に、より容易に本発明の映像表示システムを実現することができるということから、メーカ側およびユーザ側の双方にとってメリットが大きい。
【０１６５】
≪実施形態２≫
上述の実施形態１では、記録再生装置１００は、映像を並置方式のままデジタルテレビ２００に供給する構成であり、記録再生装置１００が、圧縮された表示フレームに合わせて重畳画像も圧縮する場合について説明した。本発明は、上記構成に限定されない。
【０１６６】
本発明の記録再生装置１００は、並置方式の映像を復元して、フレームシーケンシャル方式にてデジタルテレビ２００に供給する構成であって、供給に先立って、重畳画像を付加する構成であってもよい。この構成についての本発明の実施形態について、図７、８、１１、１５〜１８に基づいて説明すると以下の通りである。
【０１６７】
なお、本実施形態における記録再生装置１００およびデジタルテレビ２００のハードウェア構成は上述の実施形態１において説明したとおりであるので省略する。
【０１６８】
〔記録再生装置の機能〕
次に、本実施形態における記録再生装置１００の機能構成について説明する。図１５は、記録再生装置１００の要部構成を示す機能ブロック図である。なお、説明の便宜上、上述の実施形態１にて説明した図面と同じ機能を有する部材については、同じ符号を付記し、重複する説明については適宜省略する。
【０１６９】
図１５に示すとおり、本実施形態における記録再生装置１００の制御部１０は、機能ブロックとして、再生制御部３１、記録制御部３２、映像取得部４１、表示モード制御部４２、重畳画像生成部４３、映像復元部４６、および、重畳部４５を備えている。すなわち、図１に示す記録再生装置１００と比較して、画像圧縮部４４の代わりに映像復元部４６を備えている構成である。
【０１７０】
映像復元部４６は、映像処理回路１５を制御して、並置方式の映像をフレームシーケンシャル方式の映像に復元するものである。映像復元部４６は、表示モード制御部４２が、入力された映像が並置方式であると判定した場合に、同じく表示モード制御部４２が特定した表示フレームのレイアウトにしたがって、映像を復元する。
【０１７１】
例えば、映像取得部４１によって取得された映像について、表示モード制御部４２が、縦×横＝１×２のレイアウトで、水平方向に圧縮された表示フレームが左右に配置されているサイドバイサイド方式であると特定した場合を想定する。この場合、映像復元部４６は、映像の各フレームに含まれているそれぞれの表示フレームを、水平方向に２倍に伸張する。そして、元通りに伸張した各表示フレームを所定の順序に並べて重畳部４５に出力する。例えば、映像復元部４６は、図１１に示すとおり、３Ｄ映像７４から、復元後映像７５を得る。より具体的には、図７に示す３Ｄ映像が得られた場合には、映像復元部４６は、図１６に示すとおり、左目用表示フレーム７０、および、右目用表示フレーム７１をそれぞれ水平方向に２倍に伸張した伸張後左目用表示フレーム７０’、および、伸張後右目用表示フレーム７１’を生成する。
【０１７２】
重畳部４５は、重畳画像生成部４３から重畳画像が出力された場合には、映像復元部４６から出力されたフレームシーケンシャル方式の映像に、上記重畳画像を付加して、外部機器インターフェース４に出力する。例えば、図８に示す重畳画像７２が出力された場合、重畳部４５は、それを、図１７に示すとおり、各表示フレームの既定の表示位置に重畳させる。
【０１７３】
こうして、記録再生装置１００によって生成された重畳画像が付加された映像（図１７）は、フレームシーケンシャル方式の映像として、外部機器インターフェース４を介してデジタルテレビ２００に供給される。
【０１７４】
〔映像表示システムの処理フロー〕
図１８は、本実施形態における映像表示システムにおける処理の流れを示すフローチャートである。
【０１７５】
例えば、記録再生装置１００の赤外線受光部３が、録画されている映像を再生する旨の制御信号を受け付けると（Ｓ３０１においてＹＥＳ）、再生制御部３１が映像の再生処理を開始し、映像を映像処理制御部４０の映像取得部４１に供給する。映像取得部４１は、再生制御部３１から供給された再生すべき映像（例えば、図７）の映像信号を取得する（Ｓ３０２）。
【０１７６】
続いて、表示モード制御部４２は、Ｓ３０２にて取得された映像の方式を判断する（Ｓ３０３）。表示モード制御部４２が、映像の方式が並置方式ではないと判断した場合、すなわち、フレームシーケンシャル方式であると判断した場合（Ｓ３０３においてＮＯ）、該映像は、映像復元部４６の処理にかけられることなく重畳部４５に供給される。
【０１７７】
一方、表示モード制御部４２が、映像の方式が並置方式であると判断した場合（Ｓ３０３においてＹＥＳ）、表示モード制御部４２は、さらに、その映像における、表示フレームのレイアウトを特定する（Ｓ３０４）。ここでは、図７に示すとおり、縦×横＝１×２のサイドバイサイド方式であると特定されたとする。
【０１７８】
そして、映像復元部４６は、表示モード制御部４２に判断にしたがって、並置方式の映像を復元する（Ｓ３０５）。例えば、図１６に示すとおり、映像復元部４６は、伸張後左目用表示フレーム７０’、および、伸張後右目用表示フレーム７１’を生成する。復元された映像は、重畳部４５に供給される。
【０１７９】
続いて、記録再生装置１００において重畳画像生成のトリガとなるイベントが発生しない場合には（Ｓ３０６においてＮＯ）、映像取得部４１が取得した映像は、重畳部４５において何も処理されないまま（すなわち、何の重畳画像も付されないまま）、外部機器インターフェース４を介して、デジタルテレビ２００に対して供給される（Ｓ３０９）。
【０１８０】
一方、重畳画像生成のトリガとなるイベントが発生した場合（Ｓ３０６においてＹＥＳ）、重畳画像生成部４３は、発生したイベントに対応する重畳画像（例えば、図８）を生成する（Ｓ３０７）。生成された重畳画像７２は、重畳部４５に供給される。そして、重畳部４５は、映像取得部４１によって取得された映像に対して、Ｓ３０７にて生成された重畳画像を重畳させて（Ｓ３０８）、映像を出力する（例えば、図１７）。重畳部４５が出力した映像は、外部機器インターフェース４を介してデジタルテレビ２００に供給される（Ｓ３０９）。
【０１８１】
ここで、記録再生装置１００において、例えば、ユーザが操作するリモコンなどから、映像終了指示の入力を受け付けない限りは（Ｓ３１０においてＮＯ）、記録再生装置１００は、上述の処理（すなわち映像の再生）を継続する。すなわち、Ｓ３０２のステップに戻る。一方、映像終了指示の入力を受け付けた場合には（Ｓ３１０においてＹＥＳ）、映像の再生を終了する。
【０１８２】
なお、Ｓ３０１にて、映像再生指示が入力されたことそのものが、必ず重畳画像生成のトリガとなるという構成では、重畳画像生成のトリガの発生有無を判断するステップ：Ｓ３０６は不要である。よって、このような場合、記録再生装置１００は、Ｓ３０５の後にＳ３０９へ分岐すること無く、すべての復元された映像に対して、重畳画像を生成するステップ：Ｓ３０７を実行する構成であってもよい。
【０１８３】
記録再生装置１００のＳ３０９の動作に対して、デジタルテレビ２００では、外部機器インターフェース４が記録再生装置１００から供給された映像を取得すると（Ｓ４０１においてＹＥＳ）、デジタルテレビ２００の信号処理回路群５は、フレームシーケンシャル方式の各表示フレームを順次出力して、ＬＣＤ１９に映像を表示させる（Ｓ４０２）。
【０１８４】
上記構成および方法によれば、重畳画像生成部４３によって生成された重畳画像は、映像復元部４６によって並置方式の映像が復元された後に重畳されることになり、復元前に上記重畳画像がそのまま重畳させることがなくなる。
【０１８５】
したがって、重畳画像が不要な分断または不要な伸張の処理にかけられることを回避し、３Ｄ映像と記録再生装置１００によって生成された重畳画像とが合成された映像信号を、従来のフレームシーケンシャル方式の映像と同じようにデジタルテレビ２００に供給することが可能となる。
【０１８６】
デジタルテレビ２００は、従来のフレームシーケンシャル方式の映像と同じように受信した映像を処理して、ＬＣＤ１９に表示すればよい。
【０１８７】
結果として、並置方式映像とともに、重畳画像を、視認性を損なうことなく表示させることが可能な映像表示システムを実現することができる。
【０１８８】
その上、上記構成によれば、デジタルテレビ２００は、並置方式の映像を復元する機能すら不要となる。つまり、記録再生装置１００の重畳画像がデジタルテレビ２００において適正に表示されるためには、本発明の記録再生装置１００があればよく、デジタルテレビ２００の側の構成に改良を加える必要がない。また、デジタルテレビ２００には、並置方式の映像を復元する機能すら要求されない。これは、通常、デジタルテレビ２００の方が、記録再生装置１００よりも高価で、より広く流通・普及していることを考慮すると、記録再生装置１００を導入するだけで、より安価に、より容易に本発明の映像表示システムを実現することができるということから、メーカ側およびユーザ側の双方にとってメリットが大きい。
【０１８９】
≪実施形態３≫
上述の実施形態１、２では、映像に記録再生装置１００の重畳画像が付加される場合、重畳画像の付加は、記録再生装置１００において行われる構成であった。本発明は、上記構成に限定されない。
【０１９０】
本発明の記録再生装置１００は、自装置にて生成した重畳画像と、表示対象の映像とを合成せずに、別個にデジタルテレビ２００に供給する構成であり、本発明のデジタルテレビ２００は、自装置にて、受信した映像に、受信した重畳画像を重畳させて表示する構成であってもよい。この構成についての本発明の実施形態について、図７、８、１６、１７、１９、２０に基づいて説明すると以下の通りである。
【０１９１】
なお、本実施形態における記録再生装置１００およびデジタルテレビ２００のハードウェア構成は上述の実施形態１において説明したとおりであるので省略する。
【０１９２】
〔記録再生装置の機能およびデジタルテレビの機能〕
次に、本実施形態における記録再生装置１００およびデジタルテレビ２００の機能構成について説明する。図１９は、記録再生装置１００の要部構成、および、デジタルテレビ２００の要部構成を示す機能ブロック図である。なお、説明の便宜上、上述の実施形態１、２にて説明した図面と同じ機能を有する部材については、同じ符号を付記し、重複する説明については適宜省略する。
【０１９３】
図１９に示すとおり、本実施形態における記録再生装置１００の制御部１０は、機能ブロックとして、再生制御部３１、記録制御部３２、映像取得部４１、重畳画像生成部４３、および、伝送制御部４７を備えている。
【０１９４】
伝送制御部４７は、映像取得部４１から出力された映像を、外部機器インターフェース４を介してデジタルテレビ２００に供給する一方、重畳画像生成部４３から出力された重畳画像を、外部機器インターフェース４またはその他の通信手段を用いてデジタルテレビ２００に供給するものである。伝送制御部４７は、上記映像と上記重畳画像とを合成せずに別個のデータのまま、デジタルテレビ２００に対して伝送する。ただし、上記重畳画像が、間違いなく上記映像に合成されるように、伝送制御部４７は、上記重畳画像を上記映像に対応付けてデジタルテレビ２００に供給する。
【０１９５】
一方、本実施形態におけるデジタルテレビ２００の制御部２０は、機能ブロックとして、映像取得部４１、表示モード制御部４２、重畳部４５、映像復元部４６、および、重畳画像取得部４８を備えている。制御部２０の上述の各部は、映像処理制御部４０として機能する。デジタルテレビ２００の映像処理制御部４０は、映像処理機能を実現するものであり、映像処理機能とは、信号処理回路群５を制御して、ＬＣＤ１９に供給するための映像信号（あるいは、映像信号および音声信号）を処理する機能を指す。
【０１９６】
なお、上記機能ブロックとして示される制御部２０の各部は、ＣＰＵ（central processing unit）で実現される制御部２０がＲＯＭ（read only memory）６１等の記憶装置に記憶されているプログラムをＲＡＭ（random access memory）６２等に読み出して実行することで実現できる。
【０１９７】
すなわち、例えば、図１９に示す、機能ブロックとしての、制御部２０の映像処理制御部４０の各部は、図６に示す信号処理回路群５を制御して画像処理などを実行させることにより、それぞれ以下の機能を実現する。
【０１９８】
映像取得部４１は、記録再生装置１００の伝送制御部４７から供給された映像を、外部機器インターフェース４を介して取得するものである。
【０１９９】
重畳画像取得部４８は、伝送制御部４７から供給された映像に対応付けられた、記録再生装置１００の重畳画像を取得するものである。重畳画像取得部４８は、取得した重畳画像を重畳部４５に出力する。
【０２００】
映像復元部４６は、表示モード制御部４２が判断した方式が並置方式であった場合に、映像の各フレームに配置されている表示フレームを伸張し復元する。表示モード制御部４２が判断した方式がフレームシーケンシャル方式であった場合には、そのまま伸張などの処理を行わずに映像取得部４１が取得した映像を重畳部４５に出力する。
【０２０１】
重畳部４５は、重畳画像取得部４８から重畳画像が出力される場合に、映像復元部４６から供給されたフレームシーケンシャル方式の映像に、上記重畳画像を重畳させる。
【０２０２】
重畳部４５が出力した映像は、ＬＣＤコントローラ１８を介してＬＣＤ１９に出力される。
【０２０３】
なお、記録再生装置１００の伝送制御部４７は、映像と重畳画像とが別々に供給されながら、適切なタイミングで表示されるために、例えば、映像と重畳画像との対応付けを以下のように行ってもよい。
【０２０４】
重畳画像生成部４３が重畳画像を発生させる事象が生じ、重畳画像が生成されたとき、伝送制御部４７は、その重畳画像が生成された時点、すなわち、上記事象が生じた時点の時刻情報を上記重畳画像の先頭フレームに関連付けて格納し、その重畳画像をデジタルテレビ２００に供給する。
【０２０５】
一方、上記映像と上記重畳画像とを受信したデジタルテレビ２００側では、上記映像を出力する際に、映像の各表示フレームに関連付けられている表示フレーム時間と、上記重畳画像の先頭フレームに関連付けられている時刻情報とを確認する。このようにすれば、デジタルテレビ２００は、時刻情報と一致する表示フレーム時間から重畳画像を合成して出力することが可能となり、したがって、映像と重畳画像とが別々に供給されながら、適切なタイミングで重畳画像を映像に重畳させることができるデジタルテレビ２００を実現することが可能となる。
【０２０６】
〔映像表示システムの処理フロー〕
図２０は、本実施形態における映像表示システムにおける処理の流れを示すフローチャートである。
【０２０７】
例えば、記録再生装置１００の赤外線受光部３が、録画されている映像を再生する旨の制御信号を受け付けると（Ｓ５０１においてＹＥＳ）、再生制御部３１が映像の再生処理を開始し、映像を映像処理制御部４０の映像取得部４１に供給する。映像取得部４１は、再生制御部３１から供給された再生すべき映像（例えば、図７）の映像信号を取得する（Ｓ５０２）。
【０２０８】
続いて、記録再生装置１００において重畳画像生成のトリガとなるイベントが発生しない場合には（Ｓ５０３においてＮＯ）、伝送制御部４７は、映像取得部４１が取得した映像のみを（すなわち、何の重畳画像も対応付けしないまま）、外部機器インターフェース４を介して、デジタルテレビ２００に対して供給する（Ｓ５０４）。
【０２０９】
一方、重畳画像生成のトリガとなるイベントが発生した場合（Ｓ５０３においてＹＥＳ）、重畳画像生成部４３は、発生したイベントに対応する重畳画像（例えば、図８）を生成する（Ｓ５０５）。生成された重畳画像は、伝送制御部４７に供給される。そして、伝送制御部４７は、上記重畳画像を、映像取得部４１によって取得された映像とは別個のデータのまま、上記映像とともに出力する（Ｓ５０６）。伝送制御部４７が出力した映像および重畳画像は、外部機器インターフェース４を介してデジタルテレビ２００に供給される。
【０２１０】
ここで、記録再生装置１００において、例えば、ユーザが操作するリモコンなどから、映像終了指示の入力を受け付けない限りは（Ｓ５０７においてＮＯ）、記録再生装置１００は、上述の処理（すなわち映像の再生）を継続する。すなわち、Ｓ５０２のステップに戻る。一方、映像終了指示の入力を受け付けた場合には（Ｓ５０７においてＹＥＳ）、映像の再生を終了する。
【０２１１】
なお、Ｓ５０１にて、映像再生指示が入力されたことそのものが、必ず重畳画像生成のトリガとなるという構成では、重畳画像生成のトリガの発生有無を判断するステップ：Ｓ５０３は不要である。よって、このような場合、記録再生装置１００は、Ｓ５０２の後にＳ５０４へ分岐すること無く、すべての映像再生指示に応じて、重畳画像を生成するステップ：Ｓ５０５に遷移する構成であってもよい。
【０２１２】
記録再生装置１００のＳ５０４またはＳ５０６の動作に対して、デジタルテレビ２００では、外部機器インターフェース４が記録再生装置１００から供給された映像（あるいは、映像および重畳画像）を受信すると（Ｓ６０１においてＹＥＳ）、映像取得部４１が映像を取得する（重畳画像が対応付けられている場合は、重畳画像取得部４８がこれを取得する）。
【０２１３】
続いて、表示モード制御部４２は、Ｓ６０１にて受信された映像の方式を判断する（Ｓ６０２）。表示モード制御部４２が、映像の方式が並置方式ではないと判断した場合、すなわち、フレームシーケンシャル方式であると判断した場合（Ｓ６０２においてＮＯ）、該映像は、映像復元部４６の処理にかけられることなく重畳部４５に供給される。
【０２１４】
一方、表示モード制御部４２が、映像の方式が並置方式であると判断した場合（Ｓ６０２においてＹＥＳ）、表示モード制御部４２は、さらに、その映像における、表示フレームのレイアウトを特定する（Ｓ６０３）。ここでは、図７に示すとおり、縦×横＝１×２のサイドバイサイド方式であると特定されたとする。
【０２１５】
そして、映像復元部４６は、表示モード制御部４２に判断にしたがって、並置方式の映像を復元する（Ｓ６０４）。例えば、図１６に示すとおり、映像復元部４６は、伸張後左目用表示フレーム７０’、および、伸張後右目用表示フレーム７１’を生成する。復元された映像は、重畳部４５に供給される。
【０２１６】
次に、重畳部４５は、Ｓ６０１にて、重畳画像が重畳画像取得部４８によって受信されている場合には（Ｓ６０５においてＹＥＳ）、Ｓ６０４にて復元された映像に、重畳画像取得部４８が取得した重畳画像（例えば、図８）を重畳させる（Ｓ６０６）。重畳画像が重畳された映像（例えば、図１７）は、重畳部４５の制御下で、信号処理回路群５からＬＣＤコントローラ１８、ＬＣＤ１９へと出力される。一方、重畳画像が取得されていない場合には（Ｓ６０５においてＮＯ）、映像復元部４６によって復元された映像は、重畳部４５による処理にかけられることなく、ＬＣＤコントローラ１８、ＬＣＤ１９へと出力される。ＬＣＤコントローラ１８は、信号処理回路群５から出力された、映像、または、重畳画像が重畳された映像をＬＣＤ１９に出力する。すなわち、フレームシーケンシャル方式の各表示フレームを順次出力して、ＬＣＤ１９に映像を表示させる（Ｓ６０７）。
【０２１７】
上記構成および方法によれば、重畳部４５に映像が入力されるまでに、映像復元部４６が映像をフレームシーケンシャル方式に復元することになり、重畳部４５には、必ず、表示フレームが伸張済みの状態で入力される。また、記録再生装置１００の重畳画像は、上記映像とは別個のデータとして重畳画像取得部４８によって取得されるため、映像とともに映像復元部４６に入力されることはない。つまり、映像に対しては、必要に応じて、重畳部４５も出力されるよりも前に、映像復元部４６にて伸張が行われる一方、重畳画像に対しては何の処理も行われずにそのまま重畳部４５に出力される。
【０２１８】
これにより、重畳部４５は、フレームシーケンシャル方式の映像に、オリジナルの状態のままの重畳画像を付加することが可能となり、結果として、並置方式映像であっても、記録再生装置１００の重畳画像を、視認性を損なうことなく表示させることができる。
【０２１９】
なお、制御部１０は、さらに、表示モード制御部４２および重畳部４５の構成を備えていてもよい。そして、表示モード制御部４２が、入力された映像が並置方式であると判断した場合にのみ、伝送制御部４７が、上記映像と上記重畳画像とを合成せずに別個のデータのまま供給するように、伝送制御部４７を構成してもよい。そして、表示モード制御部４２が、入力された映像がフレームシーケンシャル方式であると判断した場合には、重畳部４５が上記映像と上記重畳画像とを合成し出力したものを供給するように、伝送制御部４７を構成してもよい。
【０２２０】
上記構成によれば、映像がフレームシーケンシャル方式である場合には、デジタルテレビ２００側での合成処理が不要となり、デジタルテレビ２００の処理負荷を低減することが可能となる。
【０２２１】
上述の各実施形態における説明では、記録再生装置１００にて録画した放送番組を、デジタルテレビ２００に供給する場合の映像表示システムの動作について説明した。しかし、本発明の映像表示システムが扱う映像は、放送コンテンツに限定されない。例えば、ＣＤ−ＲＯＭ／ＤＶＤ／ＣＤ−Ｒ／ＢＤ等の光ディスクに記録された並置方式映像を、記録再生装置１００が読み込み、これをデジタルテレビ２００に供給する場合についても、本発明の技術を採用することができる。
【０２２２】
≪変形例≫
上述の各実施形態では、本発明の映像供給装置が、記録再生装置１００であり、本発明の表示装置が、デジタルテレビ２００であって、記録再生装置１００およびデジタルテレビ２００が、本発明の映像表示システムを構築する例について説明した。
【０２２３】
しかし、上記の構成に限定されず、上記の装置以外を採用して、本発明の映像表示システムを構築することも可能である。
【０２２４】
例えば、本発明の映像供給装置としてデジタルビデオカメラを採用し、本発明の表示装置として、デジタルテレビ２００またはパーソナルコンピュータ（以下、ＰＣ）を採用して、上記デジタルビデオカメラと、デジタルテレビ２００（またはＰＣ）とによって、映像表示システムを構築することが可能である。
【０２２５】
この場合、本発明の映像供給装置としてのデジタルビデオカメラは、デジタルビデオカメラとして機能を実行するためのハードウェア構成と、それらのハードウェア構成を制御する制御部とを備えている。そして、デジタルビデオカメラの制御部は、本発明の映像供給装置としてのソフトウェア機能を実現するために、図１、図１５、または、図１９に示す制御部１０の映像処理制御部４０を、機能ブロックとして備えている。なお、図示しないが、デジタルビデオカメラの制御部は、記録再生制御部３０に代えて、さらに、デジタルビデオカメラのソフトウェア機能を実現するための機能ブロックを備えていてもよい。例えば、動画を撮影して動画データを取得するための撮影制御部を備えていてもよい。
【０２２６】
上記構成によれば、以下の映像表示システムを実現することが可能となる。以下の映像表示システムとは、すなわち、デジタルビデオカメラが、上記撮影制御部によって取得された動画データと、デジタルビデオカメラによって生成された重畳画像とを、デジタルテレビ２００（またはＰＣ）に供給し、デジタルテレビ２００（またはＰＣ）が、上記動画データの再生と、上記重畳画像の重畳とを実行し、その際、デジタルテレビ２００（またはＰＣ）では、動画データに重ねられた重畳画像が不自然に伸張されないように動画データおよび重畳画像を出力する映像表示システムのことである。
【０２２７】
≪変形例２≫
あるいは、本発明の映像供給装置としてチューナで構成された受像装置を採用し、本発明の表示装置として、デジタルテレビ２００またはパーソナルコンピュータ（以下、ＰＣ）を採用して、上記受像装置と、デジタルテレビ２００（またはＰＣ）とによって、映像表示システムを構築することが可能である。
【０２２８】
この場合、本発明の映像供給装置としての受像装置は、受像装置として機能を実行するためのハードウェア構成（少なくともチューナ）と、それらのハードウェア構成を制御する制御部とを備えている。そして、受像装置の制御部は、本発明の映像供給装置としてのソフトウェア機能を実現するために、図１、図１５、または、図１９に示す制御部１０の映像処理制御部４０を、機能ブロックとして備えている。なお、図示しないが、受像装置の制御部は、記録再生制御部３０に代えて、さらに、受像装置のソフトウェア機能を実現するための機能ブロックを備えていてもよい。例えば、映像を選局して受像する受像処理を行うようにチューナを制御するための受像制御部を備えていてもよい。
【０２２９】
上記構成によれば、以下の映像表示システムを実現することが可能となる。以下の映像表示システムとは、すなわち、受像装置が、上記受像制御部によって取得された映像と、受像装置によって生成された重畳画像とを、デジタルテレビ２００（またはＰＣ）に供給し、デジタルテレビ２００（またはＰＣ）が、上記映像の再生と、上記重畳画像の重畳とを実行し、その際、デジタルテレビ２００（またはＰＣ）では、映像に重ねられた重畳画像が不自然に伸張されずに出力される映像表示システムのことである。
【０２３０】
さらに、上記受像装置において生成される重畳画像は、受像装置のチューナが映像を選局して受像する受像処理を実行している映像に関する情報を表すものであってもよい。この場合、受像装置の映像処理制御部４０に含まれる重畳画像生成部４３は、当該受像装置が受像処理を実行している映像に対応する重畳画像を生成する。
【０２３１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０２３２】
最後に、記録再生装置１００またはデジタルテレビ２００の各ブロック、特に、映像処理制御部４０および映像処理制御部４０の各部は、ハードウェアロジックによって構成してもよいし、次のようにＣＰＵを用いてソフトウェアによって実現してもよい。
【０２３３】
すなわち、記録再生装置１００（またはデジタルテレビ２００）は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである記録再生装置１００（またはデジタルテレビ２００）の制御プログラムのプログラムコード（実行形式プログラム、中間コードプログラム、ソースプログラム）をコンピュータで読み取り可能に記録した記録媒体を、上記記録再生装置１００（またはデジタルテレビ２００）に供給し、そのコンピュータ（またはＣＰＵやＭＰＵ）が記録媒体に記録されているプログラムコードを読み出し実行することによっても、達成可能である。
【０２３４】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ／ＢＤ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２３５】
また、記録再生装置１００（またはデジタルテレビ２００）を通信ネットワークと接続可能に構成し、上記プログラムコードを、通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０２３６】
本発明の技術は、並置方式映像と自装置にて生成した重畳画像とを、外部の装置（表示装置など）に供給して表示させる映像供給装置に好適に用いられる。映像供給装置には、例えば、これに限定されないが、ＤＶＤ（Digital Versatile Disc）レコーダ／プレーヤ、ＨＤＤ（Hard Disc drive）レコーダ／プレーヤ、ＢＤ（Blu-ray Disc）レコーダ／プレーヤ、デジタルビデオカメラ、デジタルカメラ、パーソナルコンピュータ（ＰＣ）などの各種再生装置または記録再生装置、ならびに、受像装置、撮像装置、映像処理装置などが含まれる。
【符号の説明】
【０２３７】
１      チューナ
２      通信インターフェース
３      赤外線受光部
４      外部機器インターフェース
５      信号処理回路群
６      記憶部
７      光ディスク（読み取り可能な記録媒体）
８      光ヘッド
９      光ピックアップ
１０    制御部
１１    記録再生回路群
１２    ピックアップ駆動回路
１３    レーザ駆動回路
１４    再生回路
１５    映像処理回路
１６    重畳画像生成回路
１７    音声処理回路
１８    ＬＣＤコントローラ
１９    ＬＣＤ
２０    制御部
２１    スピーカ
２２    重畳処理回路
３０    記録再生制御部
３１    再生制御部
３２    記録制御部
４０    映像処理制御部
４１    映像取得部
４２    表示モード制御部
４３    重畳画像生成部（重畳画像生成手段）
４４    画像圧縮部（圧縮手段）
４５    重畳部（重畳手段）
４６    映像復元部（復元手段）
４７    伝送制御部
４８    重畳画像取得部
６０    ＨＤドライブ
６１    ＲＯＭ
６２    ＲＡＭ
６３    ＢＤドライブ
７０    左目用表示フレーム
７０’  伸張後左目用表示フレーム
７１    右目用表示フレーム
７１’  伸張後右目用表示フレーム
７２    重畳画像
７３    圧縮後重畳画像
７４    ３Ｄ映像
７５    復元後映像
７６    ３Ｄ映像
７７    ３Ｄ映像
１００  記録再生装置（映像供給装置）
２００  デジタルテレビ（表示装置）
【図１】
2012227842.tif 000003
【図２】
2012227842.tif 000004
【図３】
2012227842.tif 000005
【図４】
2012227842.tif 000006
【図５】
2012227842.tif 000007
【図６】
2012227842.tif 000008
【図７】
2012227842.tif 000009
【図８】
2012227842.tif 000010
【図９】
2012227842.tif 000011
【図１０】
2012227842.tif 000012
【図１１】
2012227842.tif 000013
【図１２】
2012227842.tif 000014
【図１３】
2012227842.tif 000015
【図１４】
2012227842.tif 000016
【図１５】
2012227842.tif 000017
【図１６】
2012227842.tif 000018
【図１７】
2012227842.tif 000019
【図１８】
2012227842.tif 000020
【図１９】
2012227842.tif 000021
【図２０】
2012227842.tif 000022
【手続補正書】
【提出日】平成24年8月13日(2012.8.13)
【手続補正１】
【補正対象書類名】明細書
【補正対象項目名】００３７
【補正方法】変更
【補正の内容】
【００３７】
上記映像供給装置では、上記映像は、該映像を構成するフレームのそれぞれにおいて、表示装置にて出力される表示フレームが所定方向に２分の１に圧縮されて２つ並置されている映像であり、上記重畳手段は、上記復元手段によって上記所定方向に２倍に伸張された表示フレーム上の、上記重畳位置と同じ位置に上記重畳画像を重畳させることを特徴としている。
【手続補正２】
【補正対象書類名】特許請求の範囲
【補正対象項目名】全文
【補正方法】変更
【補正の内容】
【特許請求の範囲】
【請求項１】
表示装置に映像を供給する映像供給装置であって、
供給すべき上記映像の方式を判定する表示モード制御部と、
上記映像に重畳させる重畳画像を生成する重畳画像生成手段と、
上記表示モード制御部が、上記表示装置に供給すべき映像が、該映像を構成するフレームのそれぞれにおいて、表示装置にて出力される表示フレームが所定方向に圧縮されて複数並置されている並置方式で構成された映像であると判定した場合に、上記表示モード制御部によって判定された方式にしたがって、
上記重畳画像生成手段によって生成された重畳画像を、上記表示フレームと同じ方向および同じ圧縮率にて圧縮する圧縮手段と、
上記圧縮手段によって圧縮された重畳画像を、上記フレームに含まれる少なくとも１つの圧縮された表示フレーム上の、上記映像上の重畳位置と相対的に同じ位置に重畳させる重畳手段とを備えていることを特徴とする映像供給装置。
【請求項２】
上記映像は、該映像を構成するフレームのそれぞれにおいて、表示装置にて出力される表示フレームが所定方向に２分の１に圧縮されて２つ並置されている映像であって、
上記圧縮手段は、上記重畳画像を、上記所定方向に２分の１に圧縮することを特徴とする請求項１に記載の映像供給装置。
【請求項３】
上記映像は、該映像を構成するフレームのそれぞれにおいて、表示装置にて出力される表示フレームが水平方向に２分の１に圧縮されて２つ並置されている映像であって、
上記圧縮手段は、上記重畳画像を、水平方向に２分の１に圧縮することを特徴とする請求項２に記載の映像供給装置。
【請求項４】
上記映像は、該映像を構成するフレームのそれぞれにおいて、表示装置にて出力される表示フレームが垂直方向に２分の１に圧縮されて２つ並置されている映像であって、
上記圧縮手段は、上記重畳画像を、垂直方向に２分の１に圧縮することを特徴とする請求項２に記載の映像供給装置。
【請求項５】
上記重畳手段は、上記フレームに含まれるすべての表示フレーム上に、上記圧縮手段によって圧縮された重畳画像を重畳させることを特徴とする請求項１から４までのいずれか１項に記載の映像供給装置。
【請求項６】
表示装置に映像を供給する映像供給装置であって、
供給すべき上記映像の方式を判定する表示モード制御部と、
上記映像に重畳させる重畳画像を生成する重畳画像生成手段と、
上記表示モード制御部が、上記表示装置に供給すべき映像が、該映像を構成するフレームのそれぞれにおいて、表示装置にて出力される表示フレームが所定方向に圧縮されて複数並置されている並置方式で構成された映像であると判定した場合に、上記表示モード制御部によって判定された方式にしたがって、
並置方式で構成された上記映像をフレームシーケンシャル方式に変換する復元手段と、
上記復元手段によって伸張された表示フレーム上の、上記映像上の重畳位置と同じ位置に、上記重畳画像生成手段によって生成された重畳画像を重畳させる重畳手段とを備えていることを特徴とする映像供給装置。
【請求項７】
上記映像は、該映像を構成するフレームのそれぞれにおいて、表示装置にて出力される表示フレームが所定方向に２分の１に圧縮されて２つ並置されている映像であり、
上記重畳手段は、上記復元手段によって上記所定方向に２倍に伸張された表示フレーム上の、上記重畳位置と同じ位置に上記重畳画像を重畳させることを特徴とする請求項６に記載の映像供給装置。
【請求項８】
上記映像は、立体視用の映像であり、該映像に並置されている２つの表示フレームは、右目用の表示フレームと左目用の表示フレームであることを特徴とする請求項２、３、４、および、７のいずれか１項に記載の映像供給装置。
【請求項９】
映像を表示する表示装置と、該表示装置に映像を供給する映像供給装置とを含む映像表示システムであって、
上記映像供給装置は、
上記表示装置に供給すべき映像が、該映像を構成するフレームのそれぞれにおいて、表示装置にて出力される表示フレームが所定方向に圧縮されて複数並置されている並置方式で構成された映像である場合に、
上記映像に重畳させる重畳画像を生成する重畳画像生成手段と、
上記並置方式で構成された映像を上記表示装置に伝送するとともに、上記重畳画像を上記表示装置に伝送する伝送手段とを備え、
上記表示装置は、
上記映像供給装置より、上記並置方式で構成された映像を取得する映像取得部と、
上記映像供給装置より、上記重畳画像を取得する重畳画像取得部と、
取得された上記映像の方式を判定する表示モード制御部と、
上記表示モード制御部が、取得された上記映像が、該映像を構成するフレームのそれぞれにおいて、表示装置にて出力される表示フレームが所定方向に圧縮されて複数並置されている並置方式で構成された映像であると判定した場合に、上記表示モード制御部によって判定された方式にしたがって、
並置方式で構成された上記映像をフレームシーケンシャル方式に変換して変換する復元手段と、
上記重畳画像取得部によって取得された重畳画像を、上記復元手段によって出力されたフレームシーケンシャル方式の映像に重畳させる重畳手段とを備えていることを特徴とする映像表示システム。
【請求項１０】
上記重畳画像は、ユーザの指示入力に応じて当該映像供給装置が処理を実行するときの処理実行状態を表すものであり、
上記重畳画像生成手段は、当該映像供給装置がユーザの指示入力を受け付けたとき、その指示内容に応じた重畳画像を生成することを特徴とする請求項１から８までのいずれか１項に記載の映像供給装置。
【請求項１１】
上記重畳画像は、当該映像供給装置が映像を再生する再生処理を実行している映像に関する情報を表すものであり、
上記重畳画像生成手段は、当該映像供給装置が再生処理を実行している映像に対応する重畳画像を生成することを特徴とする請求項１〜８および１０のいずれか１項に記載の映像供給装置。
【請求項１２】
上記重畳画像は、ユーザの指示入力に応じて当該映像供給装置が映像を記録する記録処理を実行するときの処理実行状態を表すものであることを特徴とする請求項１０に記載の映像供給装置。
【請求項１３】
上記重畳画像は、当該映像供給装置が映像を記録する記録処理を実行している映像に関する情報を表すものであり、
上記重畳画像生成手段は、当該映像供給装置が記録処理を実行している映像に対応する重畳画像を生成することを特徴とする請求項１〜８、１０および１２のいずれか１項に記載の映像供給装置。
【請求項１４】
上記重畳画像は、当該映像供給装置が映像を選局して受像する受像処理を実行している映像に関する情報を表すものであり、
上記重畳画像生成手段は、当該映像供給装置が受像処理を実行している映像に対応する重畳画像を生成することを特徴とする請求項１〜８および１０のいずれか１項に記載の映像供給装置。
【請求項１５】
上記並置方式で構成された映像は、
当該映像供給装置が読み取り可能な記録媒体から読み出された映像であることを特徴とする請求項１〜８、１０および１１のいずれか１項に記載の映像供給装置。
【請求項１６】
上記並置方式で構成された映像は、
当該映像供給装置が読み取り可能な記録媒体から読み出された映像、または、当該映像供給装置内に録画された映像であることを特徴とする請求項１〜８、１０、１２および１３のいずれか１項に記載の映像供給装置。
【請求項１７】
上記並置方式で構成された映像は、
当該映像供給装置にて放送波を介して受信された映像であることを特徴とする請求項１〜８、１０および１４のいずれか１項に記載の映像供給装置。
【請求項１８】
当該映像供給装置は、映像を再生する再生装置であることを特徴とする請求項１〜８、１０、１１および１５のいずれか１項に記載の映像供給装置。
【請求項１９】
当該映像供給装置は、映像を記録または再生する記録再生装置であることを特徴とする請求項１〜８、１０、１２、１３および１６のいずれか１項に記載の映像供給装置。
【請求項２０】
当該映像供給装置は、映像を選局して受像する受像装置であることを特徴とする請求項１〜８、１０、１４および１７のいずれか１項に記載の映像供給装置。
【請求項２１】
表示装置に映像を供給する映像供給方法であって、
供給すべき上記映像の方式を判定する表示モード判定ステップと、
上記映像に重畳させる重畳画像を生成する重畳画像生成ステップと、
上記表示モード判定ステップにて、上記表示装置に供給すべき映像が、該映像を構成するフレームのそれぞれにおいて、表示装置にて出力される表示フレームが所定方向に圧縮されて複数並置されている並置方式で構成された映像であると判定された場合に、上記表示モード判定ステップにて判定された方式にしたがって、
上記重畳画像生成ステップにて生成された重畳画像を、上記表示フレームと同じ方向および同じ圧縮率にて圧縮する圧縮ステップと、
上記圧縮ステップにて圧縮された重畳画像を、上記フレームに含まれる少なくとも１つの圧縮された表示フレーム上の、上記映像上の重畳位置と相対的に同じ位置に重畳させる重畳ステップとを含むことを特徴とする映像供給方法。
【請求項２２】
表示装置に映像を供給する映像供給方法であって、
供給すべき上記映像の方式を判定する表示モード判定ステップと、
上記映像に重畳させる重畳画像を生成する重畳画像生成ステップと、
上記表示モード判定ステップにて、上記表示装置に供給すべき映像が、該映像を構成するフレームのそれぞれにおいて、表示装置にて出力される表示フレームが所定方向に圧縮されて複数並置されている並置方式で構成された映像であると判定された場合に、上記表示モード判定ステップにて判定された方式にしたがって、
並置方式で構成された上記映像をフレームシーケンシャル方式に変換する復元ステップと、
上記復元ステップにて伸張された表示フレーム上の、上記映像上の重畳位置と同じ位置に、上記重畳画像生成ステップにて生成された重畳画像を重畳させる重畳ステップとを含むことを特徴とする映像供給方法。
【請求項２３】
映像を表示する表示装置と該表示装置に映像を供給する映像供給装置とを含む映像表示システムの制御方法であって、
上記表示装置に供給すべき映像が、該映像を構成するフレームのそれぞれにおいて、表示装置にて出力される表示フレームが所定方向に圧縮されて複数並置されている並置方式で構成された映像である場合に、
上記映像供給装置が、上記映像に重畳させる重畳画像を生成する重畳画像生成ステップと、
上記映像供給装置が、上記並置方式で構成された映像を上記表示装置に伝送するとともに、上記重畳画像を上記表示装置に伝送する伝送ステップと、
上記表示装置が、上記映像供給装置より、上記並置方式で構成された映像を取得する映像取得ステップと、
上記表示装置が、上記映像供給装置より、上記重畳画像を取得する重畳画像取得ステップと、
上記表示装置が、取得された上記映像の方式を判定する表示モード判定ステップと、
上記表示モード判定ステップにて、取得された上記映像が、該映像を構成するフレームのそれぞれにおいて、表示装置にて出力される表示フレームが所定方向に圧縮されて複数並置されている並置方式で構成された映像であると判定された場合に、上記表示モード判定ステップにて判定された方式にしたがって、
上記表示装置が、並置方式で構成された上記映像をフレームシーケンシャル方式に変換する復元ステップと、
上記表示装置が、上記重畳画像取得ステップにて取得された重畳画像を、上記復元ステップにて出力されたフレームシーケンシャル方式の映像に重畳させる重畳ステップとを含むことを特徴とする映像表示システムの制御方法。